(57)【要約】      （修正有）【課題】制御情報のためのデータ及びパイロットを送る技術を提供する。【解決手段】ユーザ機器（ＵＥ）は、第１の直交シーケンスで参照信号シーケンスを拡散して得られた複数のパイロット・シーケンスを、複数のシンボル周期の複数のサブキャリアで送る。なお、各シンボル周期で１つのパイロット・シーケンスが送られる。ＵＥは、変調シーケンスを得るために制御情報（例えば、ＡＣＫ情報）で参照信号シーケンスを変調し、複数のデータ・シーケンスを得るために第２の直交シーケンスで変調された参照信号シーケンスを拡散する。その後、ＵＥは、データに対して複数のシンボル周期の複数のサブキャリアで複数のデータ・シーケンスを送る。ＵＥは、少なくとも１つのシンボル周期で分離された複数のシンボル周期の複数のサブキャリアで複数のパイロット・シーケンスを送ってもよい。なお、各シンボル周期で１つのパイロット・シーケンスが送られる。【選択図】図３Ａ
2015144442.tif 000002
【特許請求の範囲】
【請求項１】
複数のパイロット・シーケンスを得るために直交シーケンスで参照信号シーケンスを拡散することと；
複数のシンボル周期の複数のサブキャリアで前記複数のパイロット・シーケンスを送ることと、なお、各シンボル周期で１つのパイロット・シーケンスが送られ、各パイロット・シーケンスは前記複数のサブキャリアで送られる；
を含むことを特徴とする無線通信のための方法。
【請求項２】
離散フーリエ変換（ＤＦＴ）行列に基づいて生成される直交シーケンスのセットから前記直交シーケンスを得ることを更に含むことを特徴とする請求項１に記載の方法。
【請求項３】
ウォルシュ行列に基づいて生成される直交シーケンスのセットから前記直交シーケンスを得ることを更に含むことを特徴とする請求項１に記載の方法。
【請求項４】
ベース・シーケンスの異なる周期シフトに基づいて生成される参照信号シーケンスのセットから前記参照信号シーケンスを得ることを更に含むことを特徴とする請求項１に記載の方法。
【請求項５】
前記参照信号シーケンスを拡散することは、３つのパイロット・シーケンスを得るために長さ３の前記直交シーケンスで前記参照シーケンスを拡散することを含むこと、
前記複数のパイロット・シーケンスを送ることは、７つのシンボル周期を含むスロットの３つのシンボル周期で前記３つのパイロット・シーケンスを送ることを含むこと、
を特徴とする請求項１に記載の方法。
【請求項６】
前記参照信号シーケンスを拡散することは、２つのパイロット・シーケンスを得るために長さ２の前記直交シーケンスで前記参照信号シーケンスを拡散することを含むこと、  前記複数のパイロット・シーケンスを送ることは、６つのシンボル周期を含むスロットの２つのシンボル周期で前記２つのパイロット・シーケンスを送ることを含むこと、
を特徴とする請求項１に記載の方法。
【請求項７】
変調シーケンスを得るために肯定応答（ＡＣＫ）情報で前記参照信号シーケンスを変調することと；
複数のデータ・シーケンスを得るために第２の直交シーケンスで前記変調シーケンスを拡散することと；
データのための複数のシンボル周期の前記複数のサブキャリアで複数のデータ・シーケンスを送ることと、なお、データのための各シンボル周期で１つのデータ・シーケンスが送られ、各データ・シーケンスは前記複数のサブキャリアで送られる；
を更に含むことを特徴とする請求項１に記載の方法。
【請求項８】
離散フーリエ変換（ＤＦＴ）行列に基づいて生成される第１の直交シーケンスのセットから前記直交シーケンスを得ることと；
ウォルシュ行列に基づいて生成される第２の直交シーケンスのセットから前記第２の直交シーケンスを得ることと；
を更に含むことを特徴とする請求項７に記載の方法。
【請求項９】
前記参照信号シーケンスは、７つのシンボル周期を含むスロットの真ん中３つのシンボル周期で送られる３つのパイロット・シーケンスを得るために長さ３の前記直交シーケンスで拡散されることを含むこと、
前記変調シーケンスは、前記スロットの残りの４シンボルで送られる４つのデータ・シーケンスを得るために長さ４の前記第２の直交シーケンスで拡散されることを含むこと、  を特徴とする請求項７に記載の方法。
【請求項１０】
前記複数のシンボル周期は、複数のシンボル周期を含むスロットの連続するシンボル周期であることを特徴とする請求項１に記載の方法。
【請求項１１】
前記複数のパイロット・シーケンスを送ることは、複数のパイロット・シーケンスに基づいて複数のシングル−キャリア周波数分割多重化（ＳＣ−ＦＤＭ）シンボルを生成すること、なお、各パイロット・シーケンスの間に１つのＳＣ−ＦＤＭシンボルが生成され、前記複数のシンボル周期で前記複数のＳＣ−ＦＤＭシンボルが送られ、各シンボル周期で１つのＳＣ−ＦＤＭシンボルが送られる、を含むことを特徴とする請求項１に記載の方法。
【請求項１２】
複数のパイロット・シーケンスを得るために複数のサブキャリアで参照信号シーケンスを拡散し、
複数のシンボル周期の複数のサブキャリアで前記複数のパイロット・シーケンスを送る、なお、各シンボル周期でパイロット・シーケンスが送られ、各パイロット・シーケンスは前記複数のサブキャリアで送られる、
ように構成された少なくとも１つのプロセッサを含むことを特徴とする無線通信のための装置。
【請求項１３】
前記少なくとも１つのプロセッサは、離散フーリエ変換（ＤＦＴ）行列に基づいて生成される直交シーケンスのセットから前記直交シーケンスを得るように構成されていることを特徴とする請求項１２に記載の装置。
【請求項１４】
前記少なくとも１つのプロセッサは、
３つのパイロット・シーケンスを得るために長さ３の前記直交シーケンスで前記参照信号シーケンスを拡散し、
７つのシンボル周期を含むスロットの３つのシンボル周期で前記３つのパイロット・シーケンスを送る、
ように構成されていることを特徴とする請求項１２に記載の装置。
【請求項１５】
前記少なくとも１つのプロセッサは、
変調シーケンスを得るために肯定応答（ＡＣＫ）で前記参照信号シーケンスを変調し、複数のデータ・シーケンスを得るために第２の直交シーケンスで前記変調シーケンスを拡張し、
データのための複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成されていることを特徴とする請求項１２に記載の装置。
【請求項１６】
複数のパイロット・シーケンスを得るために直交シーケンスで参照信号シーケンスを拡散するための手段と；
複数のシンボル周期の複数のサブキャリアで前記複数のパイロット・シーケンスを送る手段と、なお、各シンボル周期で１つのパイロット・シーケンスが送られ、各パイロットは前記複数のサブキャリアで送られる；
を含むことを特徴とする無線通信のための装置。
【請求項１７】
離散フーリエ変換（ＤＦＴ）行列に基づいて生成された１組の直交シーケンスから前記直交シーケンスを得るための手段を更に含むことを特徴とする請求項１６に記載の装置。
【請求項１８】
前記参照信号シーケンスを拡散するための手段は、３つのパイロット・シーケンスを得るために長さ３の前記直交シーケンスで前記参照信号シーケンスを拡散するための手段を含むこと、
前記複数のパイロット・シーケンスを拡散するための手段は、７つのシンボル周期を含むスロットの３つのシンボル周期の前記３つのパイロット・シーケンスを送るため手段を含むこと、
を特徴とする請求項１６に記載の装置。
【請求項１９】
変調シーケンスを得るために肯定応答（ＡＣＫ）情報で参照信号シーケンスを変調するための手段と；
複数のデータ・シーケンスを得るために第２の直交シーケンスで前記変調シーケンスを拡散するための手段と；
データのための複数のシンボル周期の前記複数のサブキャリアで前記複数のデータ・シーケンスを送る手段と、なお、データのための各シンボル周期で１つのデータ・シーケンスが送られ、各データ・シーケンスは前記複数のサブキャリアで送られる；
を更に含むことを特徴とする請求項１６に記載の装置。
【請求項２０】
コンピュータ判読可能なメディアを具備し：
前記コンピュータ判読可能なメディアは、
複数のパイロット・シーケンスを得るために直交シーケンスで参照信号シーケンスを拡散するための少なくとも１つのコンピュータに実行させるためのコードと；
複数のシンボル周期の複数のサブキャリアで複数のパイロット・シーケンスを送るための少なくとも１つのコンピュータに実行させるコードと、なお、各シンボル周期で１つのパイロット・シーケンスが送られ、各パイロットは前記複数のサブキャリアで送られる；  を含むことを特徴とするコンピュータ・プログラム製品。
【請求項２１】
参照信号シーケンスに基づいて複数のパイロット・シーケンスを生成することと；
少なくとも１つのシンボル周期で分離された複数のシンボル周期の複数のサブキャリアで前記複数のパイロット・シーケンスを送ることと、なお、各シンボル周期で１つのパイロット・シーケンスが送られ、各パイロット・シーケンスは前記複数のサブキャリアで送られる；
を含むことを特徴とする無線通信のための方法。
【請求項２２】
前記複数のパイロット・シーケンスを生成することは、前記参照信号シーケンスと同等の各パイロット・シーケンスをセットすることを特徴とする請求項２１に記載の方法。
【請求項２３】
ベース・シーケンスの異なる周期シフトに基づいて生成された参照信号シーケンスのセットから前記参照信号シーケンスを得ること。
【請求項２４】
チャネル質インジケータ（ＣＱＩ）情報又はＣＱＩ及び肯定応答（ＡＣＫ）情報に基づいて複数の変調シンボルの生成することと；
複数のデータ・シーケンスを得るために前記複数の変調シンボルで前記参照信号シーケンスを変調することと；
データのための複数のシンボル周期の前記複数のサブキャリアで複数のデータ・シーケンスを送ることと、なお、データのための各シンボル周期で１つのデータ・シーケンスが送られ、各データ・シーケンスは前記複数のサブキャリアで送られる；
を含むことを特徴とする請求項２１に記載の方法。
【請求項２５】
２つのパイロット・シーケンスは、前記参照信号シーケンスに基づいて生成され、各スロットが７つのシンボル周期を含む２つのスロット各々の２つのシンボル周期で送られること、
１０個のデータ・シーケンスは、前記参照信号シーケンス及び１０個の変調シンボルに基づいて生成され、前記２つのスロットの残りの１０シンボル周期で送られること、
を特徴とする請求項２４に記載の方法。
【請求項２６】
参照信号シーケンスに基づいて複数のパイロット・シーケンスを生成し、
少なくとも１つのシンボル周期で分離された複数のシンボル周期の複数のサブキャリアで前記複数のパイロット・シーケンスを送る、なお、各シンボル周期で１つのパイロット・シーケンスが送られ、各パイロット・シーケンスは前記複数の複数のサブキャリアで送られる、
ように構成された少なくとも１つのプロセッサを含むことを特徴とする無線通信のための装置。
【請求項２７】
前記少なくとも１つのプロセッサは、
チャネル品質インジケータ（ＣＱＩ）情報又はＣＱＩ及び肯定応答（ＡＣＫ）情報の両方に基づいて複数の変調シンボルを生成し、
複数のデータ・シーケンスを得るために前記複数の変調シンボルで前記参照信号シーケンスを変調し、
データのための複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成されていることを特徴とする請求項２６に記載の装置。
【請求項２８】
前記少なくとも１つのプロセッサは、
前記参照信号シーケンスに基づいて２つのパイロット・シーケンスを生成し、
各スロットが７つのシンボル周期を含む２つのスロット各々の２つのシンボル周期で前記２つのパイロット・シーケンスを送り、
前記ＣＱＩ情報又は前記ＣＱＩ及びＡＣＫ情報の両方に基づいて１０個の変調シンボルを生成し、
前記参照信号シーケンス及び１０個の変調シンボルに基づいて１０個のデータ・シーケンスを生成し、
前記２つのスロットの残りの１０シンボル周期で前記１０個のデータ・シーケンスを送る、
ように構成されていることを特徴とする請求項２７に記載の装置。
【請求項２９】
複数のシンボル周期の複数のサブキャリアで複数のパイロット・シーケンスを受信することと、なお、各シンボル周期で１つのパイロット・シーケンスが受信される；
逆拡散パイロット・シーケンスを得るために直交シーケンスで前記複数のパイロット・シーケンスを逆拡散することと；
前記逆拡散パイロット・シーケンスに基づいてチャネル推定を導き出すことと；
を含むことを特徴とする無線通信のための方法。
【請求項３０】
離散フーリエ変換（ＤＦＴ）行列に基づいて生成される直交シーケンスのセットから前記直交シーケンスを得ることを更に含むことを特徴とする請求項２９に記載の方法。
【請求項３１】
前記複数のパイロット・シーケンスを受信することは、７つのシンボル周期を含むスロットの３つのシンボル周期で３つのパイロット・シーケンスを受信することを含むこと、  前記複数のパイロット・シーケンスを逆拡散することは、前記逆拡散パイロット・シーケンスを得るために長さ３の前記直交シーケンスで前記３つのパイロット・シーケンスを逆拡散すること、
を含むことを特徴とする請求項２９に記載の方法。
【請求項３２】
データのための複数のシンボル周期の複数のサブキャリアで複数のデータ・シーケンスを受信することと；
検出された複数のデータ・シーケンスを得るために前記チャネル推定で前記複数のデータ・シーケンスに対してコヒーレント検出を実行することと；
を更に含むことを特徴とする請求項２９に記載の方法。
【請求項３３】
逆拡散データ・シーケンスを得るために第２の直交シーケンスで前記検出されたマルチ複数のデータ・シーケンスを逆拡散することと；
前記逆拡散データ・シーケンスに基づいて肯定応答（ＡＣＫ）情報を回復することと；  を更に含むことを特徴とする請求項３２に記載の方法。
【請求項３４】
複数のシンボル周期の複数のサブキャリアで複数のパイロット・シーケンスを受信し、なお、各シンボル周期で１つのパイロット・シーケンスが受信され、
逆拡散パイロット・シーケンスを得るために直交シーケンスで前記複数のパイロット・シーケンスを逆拡散し、
前記逆拡散パイロット・シーケンスに基づいてチャネル推定を導き出す、
ように構成されている少なくとも１つのプロセッサを含むこと特徴とする無線通信のための装置。
【請求項３５】
前記少なくとも１つのプロセッサは、離散フーリエ変換（ＤＦＴ）行列に基づいて生成された直交シーケンスのセットから前記直交シーケンスを得るように構成されていることを特徴とする請求項３４に記載の装置。
【請求項３６】
前記少なくとも１つのプロセッサは、
データのための複数のシンボル周期の前記複数のサブキャリアで複数のデータ・シーケンスを受信すること、なお、データのための各シンボル周期で１つのデータ・シーケンスが受信され、
検出された複数のデータ・シーケンスを得るために前記チャネル推定で前記複数のデータ・シーケンスのためにコヒーレント検出を実行し、
逆拡散データ・シーケンスを得るために第２の直交シーケンスで前記検出された複数のデータ・シーケンスを逆拡散し、
前記逆拡散データ・シーケンスに基づいて肯定応答（ＡＣＫ）情報を回復する、
ように構成されていることを特徴とする請求項３４に記載の装置。
【請求項３７】
少なくとも１つのシンボル周期によって分離された複数のシンボル周期の複数のサブキャリアで複数のパイロット・シーケンスを受信することと、なお、各シンボル周期で１つのパイロット・シーケンスが受信される；
複数のパイロット・シーケンスに基づいてチャネル推定を導き出すことと；
を含むことを特徴とする無線通信のための方法。
【請求項３８】
前記複数のパイロット・シーケンスを受信することは、７つの周期を含むスロットの前記２つのシンボル周期で２つのパイロット・シーケンス受信すること、なお、２つのシンボル周期は少なくとも１つのシンボル周期によって分離される、を特徴とする請求項３７に記載の方法。
【請求項３９】
データのための複数のシンボル周期の前記複数のサブキャリアで複数のデータ・シーケンスを受信することと、なお、データのための各シンボル周期で１つのデータ・シーケンスが受信される；
検出された複数のデータ・シーケンスを得るためにチャネル推定で複数のデータ・シーケンスに対してコヒーレント検出を実行することと；
検出された複数のデータ・シーケンスに基づいてチャネル品質インジケータ（ＣＱＩ）情報又はＣＱＩ及び肯定応答（ＡＣＫ）情報の両方を回復することと；
を更に含むことを特徴とする請求項３７に記載の方法。
【請求項４０】
２つのパイロット・シーケンスは、各スロットが７つのシンボル周期を含む、２つのスロット各々の２つのシンボル周期で受信されること、
チャネル推定は、前記スロットの受信された前記２つのパイロット・シーケンスに基づいて各スロットで導き出されること、
５つのデータ・シーケンスは、各スロットの残りの５つのシンボル周期で受信されること、
コヒーレント検出は、前記スロットに対して前記検出された５つのデータ・シーケンスを得るために前記チャネル推定で各スロットの受信された前記５つのデータ・シーケンスに対して実行されること、
ＣＱＩ情報又はＣＱＩ及びＡＣＫ情報は、前記２つのスロットで得られた検出された１０個のデータ・シーケンスに基づいて回復されること、
を特徴とする請求項３９に記載の方法。
【請求項４１】
少なくとも１つのシンボル周期によって分離された複数のシンボル周期の複数のサブキャリアで複数のパイロット・シーケンスを受信すること、なお、各シンボル周期で１つのパイロット・シーケンスが受信され、前記複数のパイロット・シーケンスに基づいてチャネル推定が導き出される、ように構成された少なくとも１つのプロセッサを含むことを特徴とする無線通信のための装置。
【請求項４２】
データのための複数のシンボル周期の前記複数のサブキャリアで複数のデータ・シーケンスを受信し、なお、データのための各シンボル周期で１つのデータ・シーケンスが受信される、
検出された複数のデータ・シーケンスを得るために前記チャネル推定で前記複数のデータ・シーケンスに対してコヒーレント検出を実行し、
前記検出された複数のデータ・シーケンスに基づいてチャネル品質インジケータ（ＣＱＩ）情報又はＣＱＩ及び肯定応答（ＡＣＫ）情報の両方を回復する、
ように構成された少なくとも１つのプロセッサを含むことを特徴とする請求項４１に記載の方法。
【請求項４３】
離散フーリエ変換（ＤＦＴ）行列に基づいて生成された直交シーケンスのセットから第１及び第２の直交シーケンスを選択することと；
ベース・シーケンスの異なる周期シフトに基づいて生成された参照信号シーケンスのセットから第１及び第２の参照信号シーケンスを選択することと；
パイロットを送るために第１のユーザ設備（ＵＥ）に前記第１の参照信号シーケンス及び前記第１の直交シーケンスを割り当てることと；
パイロットを送るために第２のユーザ設備（ＵＥ）に前記第２の参照信号シーケンス及び前記第２の直交シーケンスを割り当てることと；
を含むことを特徴とする無線通信のための方法。
【請求項４４】
複数のシンボル周期の複数のサブキャリアで前記第１のＵＥからの第１のパイロット・シーケンスのセットを受信することと、なお、前記第１のパイロット・シーケンスのセットが前記第１の参照信号シーケンス及び前記第１の直交シーケンスに基づいて前記第１のＵＥによって生成される；
前記複数のシンボル周期の前記複数のサブキャリアで前記第２のＵＥからの第２のパイロット・シーケンスのセットを受信することと、なお、前記第２のパイロット・シーケンスのセットが前記第２の参照信号シーケンス及び前記第２の直交シーケンスに基づいて前記第２のＵＥによって生成される；
を更に含むことを特徴とする請求項４３に記載の方法。
【請求項４５】
パイロットを送るために第３のＵＥに前記第１の参照信号シーケンス及び前記第２の直交シーケンスを割り当てることと；
パイロットを送るために第４のＵＥに前記第２の参照信号シーケンス及び前記第１の直交シーケンスを割り当てることと；
を更に含むことを特徴とする請求項４３に記載の方法。
【請求項４６】
ウォルシュ行例に基づいて生成された第２の直交シーケンスのセットから第３及び第４の直交シーケンスを選択することと；
データを送るために前記第１のＵＥに前記第３の直交シーケンス割り当てることと；
データを送るために前記第１のＵＥに前記第３の直交シーケンス割り当てることと；
を更に含むことを特徴とする請求項４３に記載の方法。
【請求項４７】
複数のシンボル周期の複数のサブキャリアで前記第１のＵＥからの第１のデータ・シーケンスのセットを受信することと、なお、前記第１のデータ・シーケンスのセットが前記第１の参照シーケンス及び前記第３の直交シーケンスに基づいて前記第１のＵＥによって生成される；
前記複数のシンボル周期の前記複数のサブキャリアで前記第２のＵＥからの第２のデータ・シーケンスのセットを受信することと、なお、前記第２のデータ・シーケンスが前記第２の参照信号シーケンス及び前記第４の直交シーケンスに基づいて前記第２のＵＥによって生成される；
を更に含むことを特徴とする請求項４９に記載の方法。
【請求項４８】
離散フーリエ変換（ＤＦＴ）行列に基づいて生成された直交シーケンスのセットから第１及び第２の直交シーケンスを選択し、
ベース・シーケンスの異なる周期シフトに基づいて生成された参照信号シーケンスのセットからの第１及び第２の参照信号シーケンスを選択し、
パイロットを送るためにユーザ設備（ＵＥ）に前記第１の参照信号シーケンス及び前記第１の直交シーケンスを割り当て、
第２のＵＥに前記第２の参照信号シーケンス及び前記第２の直交シーケンスを割り当てる、
ように構成された少なくとも１つのプロセッサを含むことを特徴とする無線通信のための装置。
【請求項４９】
前記少なくとも１つのプロセッサは、
ウォルシュ行列に基づいて生成された第１及び第２の直交シーケンスを選択し、
データを送るために前記第１のＵＥに前記第３の直交シーケンスを割り当て、
データを送るために前記第１のＵＥに前記第３の直交シーケンスを割り当てる、
ように構成されることを特徴とする請求項４８に記載の装置。
【発明の詳細な説明】
【関連出願】
【０００１】
本出願は、アップリンク制御チャネルの多重化及び電力制御のための方法及び装置と題される、２００７年５月１８日出願の米国仮特許出願第６０／９３８，９９５号の利益を主張する。この仮出願は、参照によって本明細書に組み込まれる。
【技術分野】
【０００２】
本開示は、一般的に通信に関し、特に、無線通信システムにおける制御情報のためのデータ及びパイロットの送信技術に関する。
【背景技術】
【０００３】
無線通信システムは、音声、ビデオ、パケット・データ、メッセージング、ブロードキャストなどのような様々な通信コンテンツを提供するために広く展開されている。これらの無線システムは、利用可能なシステム・リソースを共有することで複数のユーザをサポートすることを可能にする複数のアクセス・システムである。このような複数のアクセス・システムの例は、符号分割多元接続（ＣＤＭＡ）システム、時分割多元接続（ＴＤＭＡ）システム、周波数分割多元接続（ＦＤＭＡ）システム及び直交周波数分割多元接続（ＯＦＤＭＡ）システムを含む。
【０００４】
無線通信システムにおいて、ノードＢは、ダウンリンクでユーザ設備（ＵＥ）にトラフィック・データを送信し、及び／又はアップリンクでＵＥからトラフィック・データを受信する。ダウンリンク（又はフォワード・リンク）は、ノードＢからＵＥでの通信リンクを称し、アップリンク（又はリバース・リンク）は、ＵＥからノードＢでの通信リンクを称する。ＵＥは、ノードＢにダウンリンク・チャネル品質を表示するチャネル品質インジケータ（ＣＱＩ）情報を送る。ノードＢは、ＣＱＩ情報に基づいてレート又はトランスポート・フォーマットを選択し、ＵＥに選択されたレート又はトランスポート・フォーマットでトラフィック・データを送る。ＵＥは、ノードＢから受信したトラフィック・データに対して肯定応答（ＡＣＫ）情報を送信する。ノードＢは、ＡＣＫ情報に基づいてＵＥに新しいトラフィック・データを送信するべきか、未完のトラフィック・データを再送信するべきかを判断する。良い性能を達成するためにＡＣＫ及びＣＱＩ情報を高い信頼性で送ることが望ましい。
【発明の概要】
【０００５】
無線通信システムにおけるＡＣＫ、ＣＱＩ及び／又は他の制御情報のためのデータ及びパイロットを送信するための技術がここに記述される。１つの態様において、制御情報（例えばＡＣＫ情報）のためのデータ及びパイロットは、周波数ドメイン及び時間ドメイン符合分割多重（ＣＤＭ）の両方で送信される。１つの設計において、ＵＥは、ベース・シーケンスの異なる周期に基づいて生成される参照信号シーケンスのセットから選択される参照信号シーケンスを割り当てられる。これらの参照信号シーケンスは、よい相関特性を有しており、同じシンボル周期のサブキャリアの同じセットで異なるＵＥによって同時に送られる。更に、ＵＥは、離散型フーリエ変換（ＤＦＴ）行列又はウォルシュ行列に基づいて生成された１組の直交シーケンスから選択された第１の直交シーケンスを割り当てられる。ＵＥは、複数のパイロット・シーケンスを得るために第１の直交シーケンスで参照信号シーケンスを拡散する。その後、ＵＥは、複数のシンボル周期の多重サブキャリアで複数のパイロット・シーケンスを送る、なお、各シンボル周期で１つのパイロット・シーケンスが送られる。更に、ＵＥは、データのための直交シーケンスセットから第２の直交シーケンスを割り当てられる。ＵＥは、変調シーケンスを得るためにＡＣＫ情報で参照信号シーケンスを変調する。その後、ＵＥは、複数のデータ・シーケンスを得るために第２の直交シーケンスで変調シーケンスを拡散する。ＵＥは、データのための複数のシンボル周期の複数のサブキャリアで複数のデータ・シーケンスを送る。
【０００６】
別の態様において、制御情報のためのデータ及びパイロットは、周波数ドメインＣＤＭ及び時間にわたって分割されたパイロットで送信される。１つの設計において、ＵＥは、参照信号シーケンスを割り当てられ、参照信号シーケンスに基づいて複数のパイロット・シーケンスを生成する。ＵＥは、少なくとも１つのシンボル周期によって分割された複数のシンボル周期の複数のサブキャリアで複数のパイロット・シーケンスを送る。なお、各シンボル周期で１つのパイロット・シーケンスが送られる。更に、ＵＥは、制御情報、例えば、ＣＱＩ情報又はＣＱＩ及びＡＣＫ情報の両方に基づいて複数の変調シンボルも生成する。ＵＥは、複数のデータ・シーケンスを得るために複数の変調シンボルで参照信号シーケンスを変調する。その後、ＵＥは、データのための複数のシンボル周期の複数のサブキャリアで複数のデータ・シーケンスを送る、なお、データのために各シンボル周期で１つのデータ・シーケンスが送られる。
【０００７】
ノードＢは、以下で説明される様に、異なるＵＥからデータ及びパイロット・シーケンスを受信し、各ＵＥによって送られた制御情報を回復するための相補的な処理を実行する。開示の様々な態様及び特徴は、以下で詳細に説明される。
【図面の簡単な説明】
【０００８】
【図１】無線通信システムを示す図。
【図２】アップリンクのための送信構造の例を示す図。
【図３Ａ】ＡＣＫ構造の１つの設計を示す図。
【図３Ｂ】ＡＣＫ構造の１つの設計を示す図。
【図４】ＣＱＩ構造の設計を示す図。
【図５】ノードＢ及びＵＥのブロック図。
【図６】ＡＣＫのための送信プロセッサのブロック図。
【図７】ＣＱＩのための送信プロセッサのブロック図。
【図８】ＳＣ−ＦＤＭ変調器のブロック図。
【図９】ＳＣ−ＦＤＭ復調器のブロック図。
【図１０】ＡＣＫのための受信プロセッサのブロック図。
【図１１】ＣＱＩのための受信プロセッサのブロック図。
【図１２】ＡＣＫのためのデータ及びパイロットを送信するためのプロセスを示す図。
【図１３】ＡＣＫのためのデータ及びパイロットを送信するための装置を示す図。
【図１４】ＣＱＩのためのデータ及びパイロットを送信するためのプロセスを示す図。
【図１５】ＣＱＩのためのデータ及びパイロットの送信するための装置を示す図。
【図１６】ＡＣＫを受信するプロセスを示す図。
【図１７】ＡＣＫを受信するための装置を示す図。
【図１８】ＣＱＩを受信するプロセスを示す図。
【図１９】ＣＱＩを受信するための装置を示す図。
【図２０】ＡＣＫ及びＣＱＩの送信をサポートするためのプロセスを示す図。
【図２１】ＡＣＫ及びＣＱＩの送信をサポートするためのプロセスを示す図。
【発明の詳細な説明】
【０００９】
ここで説明される技術は、ＣＤＭＡ、ＴＤＭＡ、ＦＤＭＡ、ＯＦＤＭＡ、ＳＣ−ＦＤＭＡ及び他のシステムのような様々な無線通信システムに使用されてもよい。「システム」及び「ネットワーク」という用語は、しばしば交換可能に使用される。ＣＤＭＡシステムは、ユニバーサル・テレストリアル・ラジオ・アクセス（ＵＴＲＡ）、ｃｄｍａ２０００などのような無線技術を実施する。ＵＴＲＡは、広帯ＣＤＭＡ（ＷＣＤＭＡ（登録商標））及び他の異なるＣＤＭＡを含む。ｃｄｍａ２０００は、ＩＳ−２０００、ＩＳ−９５及びＩＳ−８５６標準をカバーする。ＴＤＭＡシステムは、グローバル移動体通信システム（ＧＳＭ（登録商標））のような無線技術を実装してもよい。ＯＦＤＭＡシステムは、拡張ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（商標登録）などのような無線技術を実装する。ＵＴＲＡ及びＥ−ＵＴＲＡは、ユニバーサル・モバイル・テレコミュニケーション・システム（ＵＭＴＳ）の一部である。３ＧＰＰ・ロング・ターム・エボリューション（ＬＴＥ）は、ダウンリンクでＯＦＤＭＡを採用し、アップリンクでＳＣ−ＦＤＭＡを採用したＥ−ＵＴＲＡを使用するＵＭＴＳを近々公開する。ＵＴＲＡ、Ｅ−ＵＴＲＡ、ＵＭＴＳ、ＬＴＥ及びＧＳＭは、「第３世代パートナーシップ・プロジェクト」（３ＧＰＰ）と名づけられた組織からの文書において説明される。ｃｄｍａ２０００及びＵＭＢは、「第３世代パートナーシップ・プロジェクト２」（３ＧＰＰ２）と名づけられた組織からの文書において説明される。明確にするため、技術におけるある態様は、ＬＴＥに対して以下で説明され、ＬＴＥ専門用語は、以下の説明で多く使用される。
【００１０】
図１は、マルチプル・ノードＢ１１０を備えた無線通信システム１００を示す。ノードＢは、ＵＥと通信する固定局であり、拡張ノードＢ（ｅＮＢ）、基地局、アクセス・ポイントなどとも呼ばれる。ＵＥ１２０は、システム全体にわたって分散され、各ＵＥは、ステイショナリー又はモバイルである。更に、ＵＥは、移動局、端末、アクセス端末、加入者ユニット、局などとも呼ばれる。ＵＥは、携帯電話、携帯情報端末（ＰＤＡ）、無線モデム、無線通信装置、ハンドヘルド装置、ラップトップ・コンピュータ、コードレス・ホンなどである。ＵＥは、ダウンリンク及びアップリンクでの送信を経由してノードＢと通信する。
【００１１】
図２は、アップリンクで使用される送信構造２００の設計を示す。送信スケジュール（transmission timeline）は、サブフレーム単位に分割される。各サブフレームは、あらかじめ決められた継続時間、例えば、１ミリセカンド（ｍｓ）を有し、２つのスロットに分割される。各スロットは、固定又は変更可能なシンボル周期の数、例えば、拡張サイクリック・プレフィックス（cyclic prefix）に対して６シンボル周期又は、通常サイクリック・プレフィックスに対して６シンボル周期を含む。
【００１２】
アップリンクについて、合計Ｋ個のサブキャリアが利用可能であり、リソース・ブロックにグループ化される。各リソース・ブロックは、１つのスロットにＮ個のサブキャリア（例えば、Ｎ＝１２のサブキャリア）を含む。利用可能なリソース・ブロックは、データ・セクション及び制御セクションに分割される。図２で示されるように、制御セクションは、システム帯域幅の両端に形成される。制御セクションは、ＵＥによるアップリンクで送られる制御情報の量に基づいて選択される構成可能なサイズを有する。制御セクションのリソース・ブロックは、ＡＣＫ情報、ＣＱＩ情報などの送信のためにＵＥに割り当てられる。データ・セクションは、制御セクションに含まれない全てのリソース・ブロックを含む。図２の設計は、隣接するサブキャリアを含むデータ・セクションに帰着し、その後、単一のＵＥがデータ・セクションの隣接するサブキャリアの全てを割り当てられる。
【００１３】
ＵＥは、ノードＢにＡＣＫ及び／又はＣＱＩ情報を送信するために制御セクションのリソース・ブロックを割り当てられる。ＡＣＫ情報は、ＵＥにノードＢによって送られた各トランスポート・ブロックがＵＥで正確に又は誤って復号されたかどうかを伝える。ＵＥによって送られるＡＣＫ情報の量は、ＵＥに送られるトランスポート・ブロックの数に依存する。１つの設計において、ＡＣＫ情報は、１つ或いは２つのトランスポート・ブロックがＵＥに送られるかどうかによって１つ或いは２つのＡＣＫビットを含む。他の設計において、ＡＣＫ情報は、より多くのＡＣＫビットを含んでもよい。
【００１４】
ＣＱＩ情報は、ノードＢに対してＵＥによって推定されたダウンリンク・チャネル品質を伝える。ＵＥによって送られたＣＱＩ情報の量は、ダウンリンク送信のために利用可能な空間チャネルの数、ダウンリンク・チャネル品質を報告するためのフォーマット、報告されたダウンリンク・チャネル品質の要求された精度（granularity）などのような様々な要素に依存する。１つの設計において、ＣＱＩ情報は、８、９又は１０ビットを含む。他の設計において、ＣＱＩ情報は、より少数又はより多くのビットを含んでもよい。
【００１５】
ＵＥは、制御セクションのリソース・ブロックにマッピングされた物理アップリンク制御チャネル（ＰＵＣＣＨ）でＡＫＣ及び／又はＣＱＩ情報を送る。１つの設計において、２つのＰＵＣＣＨ構造がサポートされ、それは、ＡＣＫ構造及びＣＱＩ構造と呼ばれる。ＡＣＫ構造は、単にＡＣＫ情報を送るために使用される。ＣＱＩ構造は、ＣＱＩ情報のみ又はＡＣＫ及びＣＱＩ情報の両方を送るために使用される。ＡＣＫとＣＱＩ構造は、他の名前でも引用される。例えば、ＡＣＫ構造は、１つ或いは２つのＡＣＫビットが送られているかどうかに依存してＰＵＣＣＨフォーマット０或いは１としても参照される。ＣＱＩ構造は、ＰＵＣＣＨフォーマット２としても参照される。
【００１６】
表１は、１つの設計に従ってＡＣＫ及びＣＱＩ構造のいくつかの特徴を一覧表にしたものである。表１は、データのためのシンボル周期の数を与え、７つのシンボル周期の１つのスロットのパイロットのためのシンボル周期の数を与える。パイロットは、送信機及び受信機の両方で既知のデータであり、参照、プリアンブルなどとして参照される。
【表１】
2015144442.tif 000003
【００１７】
拡散することは、複数のコピーを得るためにシンボルを複製し、複数の拡散シンボルを得るために直交シーケンスでこれらのコピーを増加させるプロセスを指す。複数のＵＥは、異なる直交シーケンスを有する同じリソースでシンボルを同時に送る。ノードＢは、相補的な逆拡散を実行することによってこれらのＵＥによって送られたシンボルを回復する。拡散することは、一般にカバリングとも呼ばれる。
【００１８】
図３Ａは、各スロットが７つのシンボル周期を含む場合のＡＣＫ構造３００の設計を示す。各サブフレームにおいて、左スロットは、７つのシンボル周期０から６を含み、右スロットは、７つのシンボル周期７から１３を含む。１つ以上のＵＥは、リソース・ブロック・ペアでＡＣＫ情報を同時に送る。ここで、リソース・ブロック・ペアは、（ｉ）図３Ａで示されるように、左スロットのトップ制御セクション内の１つのリソース・ブロック及び右スロットのボトム制御セクション内の１つのリソース・ブロック、又は（ｉｉ）（図３Ａの斜線ハッシングとして示される）左スロットのボトム制御セクションの１つのリソース・ブロック及び右スロットのトップ制御セクション内の１つのリソース・ブロックのどちらかを含む。
【００１９】
１つの設計において、ＡＣＫのためのリソース・ブロックは、データのための４つのシンボル周期を含み、パイロットのための３つのシンボル周期を含む。図３Ａで示される設計において、パイロットは、リソース・ブロックの真ん中３つのシンボル周期で送られ、データは、残りの４つのシンボル周期で送られる。ＡＣＫのためのデータ及びパイロットは、リソース・ブロックを含む他のシンボル周期で送られてもよい。
【００２０】
１つの設計において、ＵＥは、よい相関特性を有した参照信号を使用してＡＣＫのためにデータ及びパイロットを送る。異なるＵＥは、ベース・シーケンスで生成された異なる参照信号シーケンスを使用する同じリソース・ブロックでＡＣＫ及び／又はＣＱＩ情報を同時に送ってもよい。１つの設計において、ベース・シーケンスは、シュウ（Chu）シーケンス、ザルドフ−シュウ（Zardoff-Chu）シーケンス、フランク（Frank）シーケンス、一般化されたチャープ−ライク（chirp-like（ＧＣＬ））シーケンスなどのＣＡＺＡＣ（一定な振幅ゼロ自動相関）である。別の設計において、ベース・シーケンスは、良い相関特性を有するために定義されたシーケンスである。
【００２１】
１つの設計において、長さＮの複数の参照信号シーケンスは、長さＮのベース・シーケンスの異なる周期シフトで以下のように生成される：
【数１】
2015144442.tif 000004
【００２２】
ここで、ｒｂ（ｎ）は、ｎがシンボル・インデックスであるベース・シーケンスであり、ｒαは、αの周期シフトを有する参照信号シーケンスであり、「ｍｏｄ」は、剰余演算子である。
【００２３】
１つの設計において、Ｎ＝１２及び各参照信号シーケンスは、１２の長さを有する。６つの参照信号シーケンスは、αの６つの異なる値で生成され、異なるＵＥに割り当てられる。複数の参照信号シーケンスは、他の方法で生成されてもよい。
【００２４】
１つの設計において、ＵＥは、サブフレームのすべてのシンボル周期のために単一の参照信号シーケンスを使用する。別の設計において、ＵＥは、サブフレームの異なるシンボル周期のために異なる参照信号シーケンスを使用する。また別の設計において、サブフレームの異なるスロットのために異なる参照信号シーケンスを使用する。終わり２つの設計のホッピングは、干渉をランダム化する。簡単化のため、以下の説明では、ＵＥがすべてのシンボル周期のための単一の参照信号シーケンスｒ（ｎ）を使用すると仮定する。ここで、αの特定の値においてｒ（ｎ）＝ｒα（ｎ）である。
【００２５】
１つの設計において、ＵＥは、ＵＥに割り当てられた直交シーケンスでＡＣＫのためのパイロットを拡散する。図３Ａで示される設計において、長さ３の直交シーケンスは、３つのシンボル周期でパイロット送るために使用される。１つの設計において、３つの直交シーケンスは、３×３のＤＦＴ行列
【数２】
2015144442.tif 000005
【００２６】
に基づいて定義され、以下のように表される。
【数３】
2015144442.tif 000006
【００２７】
３つの直交シーケンスｑ０（ｍ）、ｑ１（ｍ）およびｑ２（ｍ）は、ＤＦＴ行列の３つの列で定義され、以下のように与えられる。
【数４】
2015144442.tif 000007
【００２８】
一般的に、長さ及びパイロットのための直交シーケンスの数は、パイロットのために使用されるシンボル周期の数に依存する。例えば、長さ２の２つの直交シーケンスが２つのシンボル周期で送られたパイロットのために使用され、長さ４の４つの直交シーケンスが４つのシンボル周期に送られたパイロットのために使用される、などである。異なるタイプの直交シーケンスは、異なる長さに対して利用できる。例えば、任意の長さＭの直交シーケンスは、Ｍ×ＭのＤＦＴ行列に基づいて定義される。なお、２のべき乗（例えば、２、４など）の長さの直交シーケンスは、ウォルシュ行列に基づいて定義される。
【００２９】
１つの設計において、ＵＥは、ＡＣＫのためのパイロットを以下のように生成してもよい：
【数５】
2015144442.tif 000008
【００３０】
ここで、ｑ（ｍ）は、ＵＥに割り当てられたパイロットための直交シーケンスであり、ｐｍ（ｎ）は、シンボル周期ｍでのＡＣＫのためのパイロット・シーケンスである。
【００３１】
ＵＥに割り当てられた直交シーケンスｑ（ｍ）は、ｑ０（ｍ）、ｑ１（ｍ）又はｑ２（ｍ）である。式（４）で示される設計において、参照信号シーケンスｒ（ｎ）のＮ個のシンボルは、第１のパイロット・シーケンスｐ０（ｍ）を得るために直交シーケンスに第１のシンボルｑ（０）を掛け、第２のパイロット・シーケンスｐ１（ｍ）を得るために直交シーケンスに第２のシンボルｑ（１）を掛け、第３のパイロット・シーケンスｐ２（ｍ）を得るために直交シーケンスを掛ける。図３Ａで示されるように、３つのパイロット・シーケンスｐ０（ｍ）、ｐ１（ｍ）及びｐ２（ｍ）は、左のスロットの３つのシンボル周期２、３及び４で送られ、右のスロットの３つのシンボル周期９、１０及び１１でも送られる。
【００３２】
１８個までのＵＥは、６つの参照信号シーケンス及び３つの直交シーケンスｑ０（ｍ）、ｑ１（ｍ）及びｑ２（ｍ）を有するＡＣＫのためのパイロットを同時に送る。各ＵＥは、特定の参照信号シグナルｒ（ｎ）及び特定の直交シーケンスｑ（ｍ）を有するそのパイロットを送る。これらのＵＥからのパイロットは、（ｉ）時間ドメインの直交シーケンスで拡散され（ｉｉ）周波数ドメインの参照信号シーケンスの分離によって識別される。
【００３３】
１つの設計において、ＵＥは、ＵＥに割り当てられた直交シーケンスでＡＣＫのためのデータを拡散する。図３Ａで示される設計において、長さ４の直交シーケンスは、４つのシンボル周期でデータを送るために使用される。１つの設計において、４つの直交シーケンスは、ウォルシュ・マトリックス
【数６】
2015144442.tif 000009
【００３４】
に基づいて定義され、以下のように表される： 
【数７】
2015144442.tif 000010
【００３５】
４つの直交シーケンスｗ０（ｍ）、ｗ１（ｍ）、ｗ２（ｍ）及びｗ３（ｍ）は、４×４のウォルシュ行列の４つの列で定義され、以下のように与えられる：
【数８】
2015144442.tif 000011
【００３６】
一般的に、データのための直交シーケンスの長さ及び数は、データのために使用されるシンボル周期の数に依存する。例えば、長さ３の３つの直交シーケンスは、３つのシンボル周期で送られるデータのために使用される、などである。
【００３７】
１つの設計において、ＵＥは、以下のようにＡＣＫのためのデータを処理する。ＵＥは、ＢＰＳＫ又はＱＰＳＫそれぞれに基づいて変調シンボルｄ（０）にＡＣＫのための１又は２ビットを最初にマップする。その後、ＵＥは、変調シンボルｄ（０）でその参照信号シーケンスｒ（ｎ）を以下のように変調する：
【数９】
2015144442.tif 000012
【００３８】
ここで、ｙ（ｎ）は、ＡＣＫのための変調シンボルである。式（７）で示されるように、同じ変調シンボルは、参照信号シーケンスのＮ個のシンボルの各々に適用される。
【００３９】
その後、ＵＥは、変調されたシーケンスを以下のように拡散する：
【数１０】
2015144442.tif 000013
【００４０】
ここで、ｗ（ｍ）は、ＵＥに割り当てられたデータのための直交シーケンスであり、ｚｍ（ｎ）は、シンボル周期ｍに対するＡＣＫのためのデータ・シーケンスである。
【００４１】
ＵＥに割り当てられた直交シーケンスｗ（ｍ）は、ｗ０（ｍ）、ｗ１（ｍ）、ｗ２（ｍ）又はｗ３（ｍ）である。式（８）で示される設計において、第１のデータ・シーケンスｚ０（ｎ）を得るために直交シーケンスと第１のシンボルｗ（０）を掛け、第２のデータ・シーケンスｚ１（ｎ）を得るために直交シーケンスと第２のシンボルｗ（１）を掛け、第３のデータ・シーケンスｚ２（ｎ）を得るために直交シーケンスと第３のシンボルｗ（２）を掛け、第４のデータ・シーケンスｚ３（ｎ）を得るために直交シーケンスと第４のシンボルｗ（３）を掛ける。図３Ａで示されるように、４つのデータ・シーケンスｗ（ｍ）は、ｗ０（ｍ）、ｗ１（ｍ）、ｗ２（ｍ）及びｗ３（ｍ）は、左のスロットの４つのシンボル周期０、１、５及び６で送られ、右のスロットの４つのシンボル周期７、８、１２及び１３でも送られる。
【００４２】
２４個までのＵＥは、６つの参照信号シーケンス及び４つの直交シーケンスｗ０（ｍ）からｗ３（ｍ）まで、でＡＣＫのためのデータを同時に送る。各ＵＥは、そのデータを、特定の参照信号シーケンスｒ（ｎ）及び特定の直交シーケンスｗ（ｍ）で送る。これらのＵＥからのデータは、（ｉ）時間ドメインの直交シーケンスによる拡散と、（ｉｉ）周波数ドメインにおける参照信号シーケンスの分離によって識別される。
【００４３】
１つの設計において、１８個のＡＣＫチャネルは、６個の参照信号シーケンス、パイロットのための３つの直交シーケンス及びデータのための４つの直交シーケンスで定義される。ＡＣＫチャネルの数は、パイロットを同時に送ることができるＵＥの数によって制限される。各ＡＣＫチャネルは、特定の参照信号シーケンスｒ（ｎ）、パイロットのための特定の直交シーケンスｑ（ｍ）及びデータのための特定の直交シーケンスｗ（ｍ）と関連付けられる。１８個までのＵＥは、同じリソース・ブロック・ペアの１８までのＡＣＫチャネルでそれらのＡＣＫ情報を送る。
【００４４】
図３Ｂは、各スロットが６つのシンボル周期を含む場合のＡＣＫ構造３１０の設計を示す。各サブフレームにおいて、左のスロットは、６つのシンボル周期０から５を含み、右のスロットは、６つのシンボル周期６から１１を含む。１つの設計において、ＡＣＫのためのリソース・ブロックは、データのための４つのシンボル周期及びパイロットのための２つのシンボル周期を含む。図３Ｂで示される設計において、パイロットは、リソース・ブロックの真ん中２つのシンボル周期で送られ、データは、残りの４つのシンボル周期で送られる。ＡＣＫのためのデータ及びパイロットは、リソース・ブロック内の他のシンボル周期で送られてもよい。
【００４５】
１つの設計において、長さ２の２つの直交シーケンスは、２×２のＤＦＴ行列
【数１１】
2015144442.tif 000014
【００４６】
に基づいてパイロットに対して定義され、以下のように表される：
【数１２】
2015144442.tif 000015
【００４７】
２×２のＤＦＴ行列は、ウォルシュ行列と等しい。
【００４８】
２の直交シーケンスｑ０（ｍ）及びｑ１（ｍ）は、２×２のＤＦＴ行列の２つの列で定義され、以下のように与えられる：
【数１３】
2015144442.tif 000016
【００４９】
図３Ｂで示される設計に対して、ＵＥは、パイロット・シーケンスにｐ０（ｎ）およびｐ１（ｎ）を得るために、式（４）に示される、長さ２の直交シーケンスｑ（ｍ）でＡＣＫのためのパイロットを生成する。図３Ｂで示されるように、ＵＥは、左のスロットの２つのシンボル周期２、３及び右の２つのスロットの２つパイロット周期８，９で２つのパイロット・シーケンスｐ０（ｎ）およびｐ１（ｎ）を送る。ＵＥは、４つのデータ・シーケンスｚ０（ｎ）からｚ３（ｎ）を得るために、式（７）及び式（８）で示される、長さ４の直交シーケンスｗ（ｍ）でＡＣＫのためのデータも処理する。図３Ｂで示されるように、ＵＥは、左のスロットの４つのシンボル周期０、１、４と５で、また、右のスロットの４つのシンボル周期６、７、１０及び１１で４つのデータ・シーケンスｚ０（ｎ）からｚ３（ｎ）を送る。
【００５０】
図３Ｂで示される設計おいて、１２個までのＵＥは、６つの参照信号シーケンス及び２つの直交シーケンスｑ０（ｍ）及びｑ２（ｍ）でＡＣＫのためのパイロットを送る。１つの設計において、１２のＡＣＫチャネルは、６つの参照信号シーケンス、パイロットのための２つの直交シーケンス及びデータのための４つの直交シーケンスで定義される。ＡＣＫチャネルの数は、同時にパイロットを送れるＵＥの数によって制限される。各ＡＣＫチャネルは、特定の参照信号シグナルｒ（ｎ）、パイロットのための特定の直交シーケンスｑ（ｍ）及びデータのための特定の直交シーケンスｗ（ｍ）と関連付けられる。１２個までのＵＥは、同じリソース・ブロック・ペアで１２までのＡＣＫチャネルでそれらのＡＣＫ情報を同時に送る。
【００５１】
６つのシンボル周期を有するスロットのためのＡＣＫ構造の他の設計において、パイロットは、リソース・ブロックの３つのシンボル周期で送られ、データは、リソース・ブロック中の残る３つのシンボル周期で送られる。この設計において、長さ３の直交シーケンスは、パイロット及びデータの両方のために利用され、式（３）で示されるように定義される。この設計において、１８のＡＣＫチャネルは、６つの参照信号シーケンス、パイロットのための３つの直交シーケンス及びデータのための３つの直交シーケンスで定義される。１８個までのＵＥは、同じリソース・ブロック・ペアで１８までのＡＣＫチャネルでそれらのＡＣＫ情報を同時に送る。
【００５２】
ＡＣＫ構造の幾つかの例示的な設計が上で説明されている。一般的に、パイロットは、シンボル周期の任意の数（Ｍ）で送られ、データは、シンボル周期の任意の数（Ｌ）で送られる。長さＭの直交シーケンスのセットは、パイロットのために使用され、長さＬの直交シーケンスのセットは、データのために使用される。パイロット及びデータのための直交シーケンスは、ＤＦＴ、ウォルシュ及び／又は他の適切な次元を持つ行列に基づいて定義される。ＵＥは、パイロットのためのＵＥに割り当てられた直交シーケンスｑ（ｍ）でそのパイロットを拡散し、データのためのＵＥに割り当てられた直交シーケンスｗ（ｍ）でそのデータに拡散する。
【００５３】
図４は、各スロットが７つのシンボル周期を含む場合のＡＣＫ構造４００の設計を示す。この設計において、ＣＱＩのためのリソース・ブロックは、データのための５つのシンボル周期を含み、パイロットのための２つのシンボル周期を含む。図４に示される設計において、左のスロットでパイロットは、１つのシンボル周期によって分離される２つのシンボル周期２及び４で送られ、データは、残る５つのシンボル周期０、１、３、５及び６で送られる。ＣＱＩのためのデータ及びパイロットは、リソース・ブロックの他のシンボル周期で送られてもよい。無線チャネルの時間変化を捕捉するために少なくとも１つのシンボル周期（例えば１つ、２つ又は３つシンボル周期）でパイロットのための２つのシンボル周期を分離することが望ましい。
【００５４】
１つの設計において、参照信号シーケンスは、ＣＱＩのためのパイロット・シーケンスとして直接使用される。ＵＥは、拡散せずにパイロットのための各シンボル周期でその参照信号シーケンスを送る。６つの参照信号シーケンスが利用可能な場合、その時、６つまでのＵＥは、６つの参照信号シーケンスでパイロットを送る。各ＵＥは、特定の参照信号シーケンスでそのパイロットを送る。これらのＵＥからのパイロットは、周波数ドメインの参照信号シーケンスの分離によって識別される。
【００５５】
１つの設計において、ＵＥは、以下のようにＣＱＩのためのデータを処理する。ＵＥは、コード・ビットを得るためにＣＱＩのための情報ビットを最初に復号し、１０個の変調シンボルｄ（０）からｄ（９）にこれらのコード・ビットをマップする。その後、ＵＥは、各変調シンボルｄ（ｍ）でその参照信号シーケンスｒ（ｎ）を以下のように変調する：
【数１４】
2015144442.tif 000017
【００５６】
ここで、ｃｍ（ｎ）は、シンボル周期ｍに対するＣＱＩのためのデータ・シーケンスである。例えば、図４に示すように、１０個のデータ・シーケンスｃ０（ｎ）からｃ９（ｎ）は、１０個の変調シンボルｄ（０）からｄ（９）に対して得られ、１つのリソース・ブロック・ペアのデータのために１０個のシンボル周期で送られる。
【００５７】
１つの設計において、６つのＣＱＩチャネルは、６つの参照信号シーケンスで定義される。各ＣＱＩチャネルは、特定の参照信号シーケンスｒ（ｎ）に関連付けられる。６つまでのＵＥは、同じリソース・ブロック・ペアの６つまでのＣＱＩのためのデータ及びパイロットを同時に送る。これらのＵＥからのデータ及びパイロットは、周波数ドメインの参照信号シーケンスの分離によって識別される。
【００５８】
６つのシンボル・周期を有するスロットのためのＣＱＩ構造の１つの設計において、ＣＱＩのためのリソース・ブロックは、データのための４つのシンボル周期及びパイロットのための２つのシンボル周期を含む。例えば、パイロットは、２つのシンボル周期１及び４で送られ、データは、残る４つのシンボル周期０、２、３及び５で送られる。別の設計において、ＣＱＩのためのリソース・ブロックは、データのための５つのシンボル周期及びパイロットのための１つのシンボル周期を含む。例えば、パイロットは、１つのシンボル周期２又は３で送られ、データは、残る５つのシンボル周期で送られる。更に、ＣＱＩのためのデータ及びパイロットは、スロット毎に６つのシンボル周期を有する場合において、リソース・ブロック内の他のシンボル周期でも送られる。
【００５９】
図３Ａ及び３Ｂは、ＡＣＫのためのデータ及びパイロットを送るための設計の二つの例を示している。図４は、ＣＱＩのためのデータ及びパイロットを送るための設計の例を示す。ＡＣＫ及びＣＱＩのためのデータ及びパイロットは、他の方法、例えば、シンボル周期の異なる数、リソース・ブロック内の異なるシンボル周期で送られてもよい。
【００６０】
ＡＣＫ及びＣＱＩチャネルは、同じリソース・ブロックで多重化されてもよい。変調シンボル（例えば、ＡＣＫ又はＣＱＩ情報のための）又は直交シーケンスのシンボル（パイロットのための）で全体の参照信号シーケンスを変調することは、参照信号シーケンスの相関特性を変化させない。６つの参照信号シーケンスを有し、図３Ａ及び図４で示される設計に対し、単一のリソース・ブロック・ペアは、以下の構造の１つをサポートする：１８のＡＣＫチャネル、１つのＣＱＩチャネルと１５のＡＣＫチャネル、２つのＣＱＩチャネルと１２のＡＣＫチャネル、３つのＣＱＩチャネルと９つのＡＣＫチャネル、４つのＣＱＩチャネルと６つのＡＣＫチャネル、５つのＣＱＩチャネルと３つのＡＣＫチャネル或いは６つのＣＱＩチャネル。
【００６１】
図５は、図１のノードＢの１つ及びＵＥの１つであるノードＢ１１０及びＵＥ１２０の設計のブロック図を示している。この設計において、ＵＥ１２０は、５３２ａから５３２ｔまでのＴ個のアンテナを備え、ノードＢ１１０は、５５２ａから５５２ｒまでのＲ個のアンテナを備える。ここで、Ｔ及びＲは、一般的に、Ｔ≧１かつＲ≧１である。
【００６２】
ＵＥ１２０において、送信プロセッサ５２０は、データ・ソース５１２からトラフィック・データを受信し、トラフィック・データ（例えば、符号化及びシンボル・マッピング）を処理し、データ・シンボルを供給する。更に、送信プロセッサ５２０は、コントローラ／プロセッサ１２４０から制御情報（例えば、ＡＣＫ及び／又はＣＱＩ情報）も受信し、上記で説明されたように制御情報を処理し、（例えば、データ・シーケンスのための）制御シンボルを供給する。更に、送信プロセッサ５２０は、（例えば、パイロット・シーケンスのための）パイロット・シンボルも生成し、データ・シンボル及び制御シンボルでパイロット・シンボルを多重化する。データ・シンボルは、トラフィック・データのためのシンボルであり、コントロール・シンボルは、コントロール情報のためのシンボルであり、パイロット・シンボルは、パイロットのためのシンボルであり、シンボルは、実数又は複素数値である。パイロット・シンボルは、参照シンボルとも呼ばれる。
【００６３】
ＭＩＭＯプロセッサ５２２は、送信プロセッサ５２０からのシンボルを処理（例えば、プレコード）し、５３０ａから５３０ｔのＴ個の変調器（ＭＯＤ）にＴ個のシンボル・ストリームを供給する。ＵＥ１２０が単一のアンテナを備えている場合、ＭＩＭＯプロセッサ５２２は、除外される。各変調器５３０は、出力サンプル・ストリームを得るために（例えば、ＳＣ−ＦＤＭＡに対して）出力シンボル・ストリームを処理する。
【００６４】
各変調器５３０は、アップリンク信号を生成するために出力サンプル・ストリームを更に進んだ状態にする（例えば、アナログに切り替え、フィルターを通し、増幅し、アップコンバートする）。５３０ａから５３０ｔの変調器からのＴ個のアップリンク信号は、５３２ａから５３２ｔのＴ個のアンテナを経由して送信される。
【００６５】
ノードＢ１１０において、５５２ａから５５２ｒのアンテナは、ＵＥ１２０及び／又は他のＵＥからのアップリンク信号を受信する。各アンテナ５５２は、それぞれの復調器（ＤＥＭＯＤ）５５４に受信信号を供給する。各復調器５５４は、サンプルを得るためにその受信信号を適当な状態にし（例えば、フィルターを通過させ、増幅し、ダウンコンバートし、デジタル化する）、受信シンボルを得るために（例えば、ＳＣ−ＦＤＭＡのために）サンプルを更に処理する。ＭＩＭＯ検出器５５６は、５５４ａから５５４ｒまでの全ての復調器からの受信シンボルでＭＩＭＯ検出を実行し、検出シンボルを供給する。受信プロセッサ５６０は、検出シンボルを処理し（例えば、復調し、復号する）、データ・シンクに復号されたトラフィック・データを供給し、コントローラ／プロセッサ５７０に復号された制御情報を供給する。一般的に、ＭＩＭＯ検出器５５６及び受信プロセッサ５６０による処理は、ＵＥ１２０で、それぞれ、ＭＩＭＯプロセッサ５２２及び送信プロセッサ５２０によって処理するための相補的なものである。
【００６６】
ノードＢ１１０は、ＵＥ１２０にダウンリンク上でトラフィック・データ及び／又は制御情報を送信する。データ・ソース５７８からのトラフィック・データ及び／又はコントローラ／プロセッサ５７０からの制御情報は、Ｒ出力シンボル・ストリームを得るために送信プロセッサ５８０によって処理され、更に、ＭＩＭＯプロセッサ５８２によって処理される。５５４ａから５５４ｒまでのＲ変調器は、Ｒ出力サンプル・ストリームを得るために（例えば、ＯＦＤＭのための）Ｒ出力シンボル・ストリームを処理し、５５２ａから５５２ｒのＲアンテナを経由して送信されたＲダウンリンク信号を得るために出力サンプル・ストリームをさらに調整する。ＵＥ１２０において、ノードＢ１１０からのダウンリンク信号は、５３２ａから５３２ｔのアンテナによって受信され、５３０ａから５３０ｔの復調器によって適当な状態にされ、処理され、更に、トラフィック・データを回復するために（もし、適用できるなら）ＭＩＭＯ検出器５３６及び受信プロセッサ５３８によって処理され、そして、制御情報がＵＥ１２０に送られる。受信プロセッサ５３８は、データ・シンク５３９にトラフィック・データを供給し、コントローラ／プロセッサ５４０に制御情報を供給する。
【００６７】
コントローラ／プロセッサ５４０及び５７０は、それぞれＵＥ１２０及びノードＢ１１０の動作を管理する。メモリ５４２及び５７２は、それぞれ、ＵＥ１２０及びノードＢ１１０のデータ及びプログラムを格納する。スケジューラ５７４は、ダウンリンク及び／又はアップリンク上のデータ送信に対してＵＥをスケジュールし、スケジュールされたＵＥにリソースを割り当てる。更にスケジューラ５７４は、ＡＣＫ及びＣＱＩ情報の送信に対してＵＥにＡＣＫ及びＣＱＩリソースも明示的に及び／又は暗黙的に割り当てる。ＡＣＫ及びＣＱＩリソースは、リソース・ブロック、参照信号シーケンス、パイロットのための直交シーケンス、データのための直交シーケンスなどを含む。
【００６８】
図６は、図５のＵＥの送信プロセッサ５２０の一部であるＡＣＫのための送信プロセッサ６２０の設計のブロック図を示す。送信プロセッサ６２０内で、シンボル・マッパー６２２は、変調シンボルｄ（０）にＡＣＫ情報をマップする。乗算器６２４は、例えば、式（７）で示されるように、変調シンボルと参照信号シーケンスｒ（ｎ）とを掛け、変調シーケンスｙ（ｎ）を与える。データ・スプレッダー６２６は、例えば、式（８）で示されるように、データのための直交シーケンスｗ（ｍ）で変調シーケンスを拡張し、データ・シーケンスｚｍ（ｎ）を与える。パイロット・スプレッダー６２８は、パイロットのための直交シーケンスｑ（ｍ）で参照信号シーケンスを拡張し、パイロット・シーケンスｐｍ（ｎ）を与える。マルチプレクサー（Ｍｕｘ）６３０は、スプレッダー６２６からのデータ・シーケンス及びスプレッダー６２８からのパイロットを受信し、例えば、図３Ａ又は図３Ｂで示されるように、適切なシンボル周期で各シーケンスを与える。
【００６９】
図７は、ＣＱＩのための送信プロセッサの設計のブロック図を示す。このＣＱＩは、図５のＵＥ１２０の送信プロセッサ５２０の一部である。送信プロセッサ７２０内で、符号器７２２は、コード・ビットを得るためにＣＱＩ情報のみ又はＣＱＩ及びＡＣＫ情報の両方を符号化する。シンボル・マッパー７２４は、変調シンボルｄ（ｍ）にコード・ビットをマップする。乗算器７２６は、例えば、式（１１）で示されるように、各変調シンボルと参照信号シーケンスｒ（ｎ）とを掛け、対応するデータ・シーケンスｃｍ（ｎ）を与える。マルチプレクサー７２８は、例えば、図４で示されるように、乗算器７２６からのデータ・シーケンス及び参照信号シーケンスを受信し、データのためのシンボル周期それぞれで各データ・シーケンスを与え、パイロットのための各シンボル周期でパイロット・シーケンスとして参照信号シーケンスを与える。
【００７０】
図８は、ＡＣＫ又はＣＱＩを送る場合、図５のＵＥの変調器５３０ａから５３０ｔ各々で使用されるＳＣ−ＦＤＭ変調器８３０の設計を示している。ＳＣ−ＦＤＭ変調器８３０内で、ＤＦＴユニット８３２は、１つのシンボル周期の間にＮ個のシンボルを含むデータ又はパイロット・シーケンス受信し、Ｎ個のシンボルでＮ−ポイントＤＦＴを実行し、Ｎ周波数ドメイン値を与える。シンボルからサブキャリアへのマッパー（symbol-to-subcarrier mapper）８３４は、ＡＣＫ又はＣＱＩのために使用されるリソース・ブロックのＮ個のサブキャリアにＮ個の周波数−ドメイン値をマップする。逆高速フーリエ変換（ＩＦＦＴ）ユニット８３６は、合計Ｋ個のサブキャリアのためのＫ個のマップされた値でＫ−ポイントＩＦＦＴを実行し、有用な部分(useful portion)のためのＫ個の時間−ドメイン・サンプルを与える。サイクリック・プレフィックス・ジェネレータ（cyclic prefix generator）８３８は、有用な部分の最後のＣ個のサンプルをコピーし、Ｋ＋Ｃ個のサンプルを含むＳＣ−ＦＤＭシンボルを形成するために有用な部分の先頭にこれらのＣ個のサンプルを追加する。ＳＣ−ＦＤＭシンボルは、Ｋ＋Ｃ個のサンプル周期を含む１つのシンボル周期を送る。
【００７１】
図９は、ＡＣＫ又はＣＱＩを受信するとき、図５のノードＢ１１０で復調器５５４ａから５５４ｒの各々に対して使用されるＳＣ−ＦＤＭ復調器９５０の設計のブロック図を示す。ＳＣ−ＦＤＭ復調器９５０内で、サイクリック・プレフィックス・リムーバル・ユニット（cyclic prefix removal unit）９５２は、各シンボル周期のＫ＋Ｃ個の受信サンプルを得て、サイクリック・プレフィックスに対応するＣ個の受信サンプルを削除し、有用な部分のためのＫ個の受信サンプルを与える。高速フーリエ変換（ＦＦＴ）ユニット９５４は、Ｋ個受信サンプルでＫ−ポイントＦＦＴを実行し、合計Ｋ個のサブキャリアのためのＫ個の周波数−ドメイン値を与える。シンボルからサブキャリアへのデマッパー（symbol-to-subcarrier demapper）９５６は、ＵＥ１２０に割り当てられたリソース・ブロックのＮ個のサブキャリアからＮ個の周波数−ドメイン値を提供し、残りの周波数−ドメイン値を破棄する。ＩＤＦＴユニット９５８は、Ｎ周波数−ドメイン値でＮ−ポイントＩＤＦＴを実行し、受信データ又はパイロット・シーケンスのためＮ個の受信シンボルを与える。
【００７２】
図１０は、図５のノードＢ１１０での受信プロセッサ５６０の一部であるＡＣＫのための受信プロセッサ１０６０の設計のブロック図を示す。受信プロセッサ１０６０内で、デマルチプレクサー（Ｄｅｍｕｘ）１０６２は、ＵＥに割り当てられたリソース・ブロック・ペアからのＡＣＫのための受信データ及びパイロット・シーケンスを得る受信データを得て、パイロット逆拡散器（despreader）に受信したパイロット・シーケンスを与え、コヒーレント検出器１０７０に受信したデータ・シーケンスを与える。パイロット逆拡散器１０６４は、ＵＥに割り当てられた直交シーケンスｑ（ｍ）で各リソース・ブロックのための受信パイロット・シーケンスを逆拡散し、そのリソース・ブロックのための逆拡散されたパイロット・シーケンスを与える。１つの設計において、各リソース・ブロックのためのパイロット逆拡散は、以下のように実行される：
【数１５】
2015144442.tif 000018
【００７３】
ここで、
【数１６】
2015144442.tif 000019
【００７４】
は、シンボル周期ｍの間に受信したパイロット・シーケンスであり、
【数１７】
2015144442.tif 000020
【００７５】
は、逆拡散パイロット・シーケンスである。
【００７６】
チャネル推定器１０６６は、そのリソース・ブロックのための逆拡散パイロット・シーケンスに基づいて各リソース・ブロックのＮ個のサブキャリアのためのチャネル推定を導き出す。コヒーレント検出器１０７０は、適用可能なチャネル推定で各受信データ・シーケンスのためにコヒーレント検出を実行し、対応する検出されたデータ・シーケンスを与える。データ逆拡散器１０７２は、そのリソース・ブロックのための逆拡散シーケンスを得るためにＵＥ１２０に割り当てられた直交シーケンスｗ（ｍ）で各リソース・ブロックのために検出されたデータ・シーケンスを逆拡散する。１つの設計において、各リソース・ブロックのためのデータ逆拡散器は、以下のように実行される：
【数１８】
2015144442.tif 000021
【００７７】
ここで、ｂｍ（ｎ）は、シンボル周期のための検出されたデータ・シーケンスであり、
【数１９】
2015144442.tif 000022
【００７８】
は、式（７）のｙ（ｎ）の推定である逆拡散データ・シーケンスである。
【００７９】
相関器１０７４は、可能な参照信号シーケンス各々と各リソース・ブロックのための逆拡散データ・シーケンスとを相関させ、最もよい参照信号シーケンスのための相関結果を与える。シンボル・デマッパー１０７６は、ＡＣＫのために使用される２つのリソース・ブロックに対する相関結果を入手し、相関結果に基づいてＵＥ１２０によって最も送られていそうな変調シンボルを決定し、ＵＥに対して受信ＡＣＫ情報を与える。
【００８０】
図１１は、図５のノードＢ１１０で受信プロセッサ５６０の一部である、ＣＱＩのための受信プロセッサ１１６０の設計のブロック図を示す。受信プロセッサ１１６０内で、デマルチプレクサー１１６２は、ＵＥ１２０に割り当てられたリソース・ブロック・ペアからＣＱＩのための受信データ及びパイロット・シーケンスを得て、チャネル推定器１１６４に各受信パイロット・シーケンスを与え、コヒーレント検出器１１７０に各受信データ・シーケンスを与える。チャンネル推定器１１６４は、そのリソース・ブロックのための受信パイロット・シーケンスに基づいて各リソース・ブロックのＮ個のサブキャリアに対する１つ以上のチャネル推定を導き出す。１つの設計において、チャネル推定器１１６４は、そのリソース・ブロックのためのすべての受信パイロット・シーケンスに基づいて各リソース・ブロックのチャネル推定を導き出してもよい。この設計は、遅いチャネル変化、例えば、低い移動度に対して使用されるかもしれない。別の設計において、チャネル推定器１１６４は、そのリソース・ブロックのための受信パイロット・シーケンスに基づいて（例えば、補間によって）各リソース・ブロックの各シンボル周期のためのチャネル推定を導き出す。この設計は、速いチャネル変化、例えば、高い移動度に対して使用されるかもしれない。
【００８１】
コヒーレント検出器１１７０は、適用可能なチャネル推定で各受信データ・シーケンスのためのコヒーレント検出を実行し、対応する検出されたデータ・シーケンスを与える。相関器１１７２は、可能な参照信号シーケンスの各々と各検出されたデータ・シーケンスとを相関させ、最もよい参照信号シーケンスの相関結果を与える。ユニット１１７４は、検出されたデータ・シーケンスの相関結果に基づいて対数尤度比（ＬＬＲ）を計算する。復号器１１７６は、すべてのデータ・シーケンスのためのＬＬＲを復号し、ＵＥ１２０に受信ＣＱＩ情報を与える。
【００８２】
図１０及び図１１は、ＵＥ１２０によって送られたＡＣＫ及びＣＱＩ情報を回復するためにノードＢ１１０によって処理することについての例示的な設計を示している。ノードＢ１１０は、他の方法でＡＣＫ及びＣＱＩのための処理を実行してもよい。例えば、図１０の相関器１０７４及び図１１の相関器１１７２は、各々ＵＥに割り当てられた参照信号シーケンスのために検出できる検出器と置き換えることができる。処理することは、図１０及び１１に示されるオーダーとは異なるオーダーで実行されてもよい。ノードＢ１１０は、図９のＩＤＦＴユニット９５８によって与えられる時間ドメインの受信データ及びパイロット・シーケンスで時間ドメイン（例えば、図１０及び図１１に示されるように）の処理を実行する。あるいは、ノードＢ１１０は、図９のデマッパー９５６によって与えられた周波数ドメインの受信データ及びパイロット・シーケンスで周波数ドメインの処理を実行する。
【００８３】
ノードＢ１１０は、複数のアンテナ５５２ａから５５２ｒを経由してＵＥ１２０からのデータ及びパイロット・シーケンスを受信する。この場合、ノードＢ１１０は、複数のアンテナからの、例えば、図１０のコヒーレント検出器１０７０又はデータ逆拡散器１０７２の後及び図１１のコヒーレント検出器の後の、結果を結合させる。さらに、ノードＢ１１０は、ＡＣＫ及びＣＱＩのためのプロセシング・パスの他の地点で複数のアンテナにわたって結合させる。
【００８４】
図１２は、ＡＣＫのためのデータ及びパイロットを送信するためのプロセス１２００の設計を示す。プロセス１２００は、ＵＥ又は他のあるエンティティによって実行される。ＵＥは、ベース・シーケンスの異なる周期シフトに基づいて生成される参照信号シーケンスのセットから参照信号シーケンスが割り当てられる。更に、ＵＥは、ＤＦＴ行列又はウォルシュ行列に基づいて生成される直交シーケンスのセットから直交シーケンスも割り当てられる。ＵＥは、複数のパイロット・シーケンスを得るために、直交シーケンスで参照信号シーケンスを拡散する（ブロック１２１２）。その後、ＵＥは、複数のシンボル周期の複数（例えば、１２）のサブキャリアで複数のパイロット・シーケンスを送る、なお、各シンボル周期で１つのパイロット・シーケンスが送られ、各パイロット・シーケンスは複数のサブキャリアで送られる（ブロック１２１４）。複数のシンボル周期は、リソース・ブロックの連続するシンボル周期である。
【００８５】
１つの設計において、ＵＥは、３つのパイロット・シーケンスを得るために長さ３の直交シーケンスで参照信号シーケンスを拡散する。その後、図３Ａで示されるように、ＵＥは、７つのシンボル周期を含むスロットの真ん中３つのシンボル周期で３つのパイロット・シーケンスを送る。別の設計において、ＵＥは、２つのパイロット・シーケンスを得るために長さ２の直交シーケンスで参照信号シーケンスを拡散する。その後、図３Ｂに示されるように、ＵＥは、６つのシンボル周期を含むスロットの真ん中２つのシンボル周期で２つのパイロット・シーケンスを送る。
【００８６】
ＵＥは、ＤＦＴ行列又はウォルシュ行列に基づいて生成された直交シーケンスのセットから選択された第２の直交シーケンスが割り当てられる。ＵＥは、変調シーケンスを得るためにＡＣＫ情報と参照信号シーケンスを変調する（ブロック１２１６）。その後、ＵＥは、複数のデータ・シーケンスを得るために第２の直交シーケンスで変更シーケンスを拡散する（ブロック１２１８）。ＵＥは、データのための複数のシンボル周期の複数のサブキャリアで複数のデータ・シーケンスを送る、なお、データのための各シンボル周期で１つのデータ・シーケンスが送られ、各データ・シーケンスは複数のサブキャリアで送られる（ブロック１２２０）。１つの設計において、ＵＥは、４つのデータ・シーケンスを得るために長さ４の直交シーケンスの直交シーケンスで変調シーケンスを拡散する。その後、図３Ａ又は図３Ｂで示されるように、ＵＥは、スロットの４つのシンボル周期で４つのデータ・シーケンスを送る。
【００８７】
１つの設計において、ＵＥは、複数のパイロット・シーケンスに基づいて複数のＳＣ−ＦＤＭシンボルを生成する、なお、各パイロット・シーケンスのための１つのＳＣ−ＦＤＭシンボルが生成される。更に、ＵＥは、複数のデータ・シーケンスに基づいて複数のＳＣ−ＦＤＭシンボルを生成する、なお、各データ・シーケンスのための１つのＳＣ−ＦＤＭシンボルが生成される。ＵＥは、異なるシンボル周期で各ＳＣ−ＦＤＭシンボルを送ってもよい。
【００８８】
図１３は、ＡＣＫのためのデータ及びパイロットを送信する装置１３００の設計を示している。装置１３００は、複数のパイロット・シーケンスを得るために直交シーケンスと参照信号シーケンスを拡散するためのモジュール１３１２と、複数のシンボル周期の複数のサブキャリアで複数のパイロット・シーケンスを送る、なお、各シンボル周期で１つのパイロット・シーケンスが送られる、ためのモジュール１３１４と、変調されたシーケンスを得るためにＡＣＫ情報で参照信号シーケンスを変調するためのモジュール１３１６と、複数のデータ・シーケンスを得るために第２の直交シーケンスで変調されたシーケンスを拡散するためのモジュール１３１８と、データのための複数のシンボル周期の複数のサブキャリアで複数のデータ・シーケンスで送る、なお、データのための各シンボル周期で１つのデータ・シーケンスが送られる、ためのモジュール１３２０と、を含む。
【００８９】
図１４は、ＣＱＩのためのデータ及びパイロットを送信するプロセス１４００の設計を示す。プロセス１４００は、ＵＥ又は他のあるエンティティによって実行される。ＵＥは、ベース・シーケンスの異なる周期シフトに基づいて生成された参照信号シーケンスのセットから選択される参照信号シーケンスが割り当てられる。ＵＥは、参照信号シーケンスに基づいて複数のパイロット・シーケンスを生成する（ブロック１４１２）。１つの設計において、ＵＥは、参照信号シーケンスと等しい各パイロット・シーケンスをセットする。更に、ＵＥは、他の方法で参照信号シーケンスに基づいてパイロット・シーケンスを生成する。ＵＥは、少なくとも１つのシンボル周期によって分離された複数のシンボル周期の複数のサブキャリアで複数のパイロット・シーケンスを送る、なお、各シンボル周期で１つのパイロット・シーケンスが送られ、各パイロット・シーケンスは複数のサブキャリアで送られる（ブロック１４１４）。
【００９０】
ＵＥは、ＣＱＩ情報又はＣＱＩ及びＡＣＫ情報の両方に基づいて複数の変調シンボルを生成する（ブロック１４１６）。ＵＥは、複数のデータ・シーケンスを得るために複数の変調シンボルで参照信号シーケンスを変調する（ブロック１４１８）。ＵＥは、データのための複数のシンボル周期の複数のサブキャリアで複数のデータ・シーケンスを送る、なお、データのための各シンボル周期で１つのデータ・シーケンスが送られ、各データ・シーケンスは複数のサブキャリアで送られる（ブロック１４２０）。
【００９１】
１つの設計において、ＵＥは、参照信号シーケンスに基づいて２つのパイロット・シーケンスを生成し、２つのスロット各々の２つのシンボル周期でこれら２つのパイロット・シーケンスを送る。各スロットは、７つのシンボル周期を含み、パイロットのための２つのシンボル周期は、少なくとも１つのシンボル周期で分離される。ＵＥは、参照信号シーケンス及び１０個の変調シンボルに基づいて１０個のデータ・シーケンスを生成し、２つのスロットの残り１０のシンボル周期でこれらの１０個のデータ・シーケンスを送る。更に、ＵＥは、異なる数のパイロット・シーケンス及びデータ・シーケンスを生成し、送ってもよい。
【００９２】
図１５は、ＣＱＩのためのデータ及びパイロットを送信する装置１５００の設計を示す。装置１５００は、参照信号シーケンスに基づいて複数のパイロット・シーケンスを生成するためのモジュール１５１２と、少なくとも１つのシンボル周期で分離される複数のシンボル周期の複数のサブキャリアで複数のパイロット信号を送る、なお、各シンボル周期で１つのパイロット信号が送られる、ためのモジュール１５１４と、ＣＱＩ情報又はＣＱＩ及びＡＣＫ情報の両方に基づいて複数の変調シンボルを生成するためのモジュール１５１６と、複数のデータ・シーケンスを得るために複数の変調シンボルと参照信号シーケンスを変調するためのモジュール１５１８と、データのための複数のシンボル周期の複数のサブキャリアで複数のデータ・シーケンスを送る、なお、データのための各シンボル周期で１つのデータ・シーケンスが送られる、ためのモジュール１５２０と、を含む。
【００９３】
図１６は、ＡＣＫを受信するプロセス１６００の設計を示している。プロセス１６００は、ノードＢ又は他のあるエンティティによって実行されてもよい。ノードＢは、ＵＥからの複数のシンボル周期の複数のサブキャリアで複数（例えば、２つ又は３つ）のパイロット・シーケンスを受信する、なお、各シンボル周期で１つのパイロット・シーケンスが受信される（ブロック１６１２）。ノードＢは、逆拡散パイロット・シーケンスを得るために（例えば、長さ２又は３の）直交シーケンスで複数のパイロット・シーケンスを逆拡散する（ブロック１６１４）。ノードＢは、逆拡散パイロット・シーケンスに基づいてチャネル推定を導き出す（ブロック１６１６）。ノードＢは、逆拡散を実行し、時間ドメイン又は周波数ドメインのチャネル推定を実行する。
【００９４】
ノードＢは、データのための複数のシンボル周期の複数のサブキャリアで複数（例えば、４つ）のデータ・シーケンスも受信する（ブロック１６１８）。ノードＢは、複数の検出されたデータ・シーケンスを得るためにチャネル推定で複数のデータ・シーケンスのためのコヒーレント検出を実行する（ブロック１６２０）。ノードＢは、逆拡散データ・シーケンスを得るために（例えば、長さ４の）第２の直交シーケンスで複数の検出されたデータ・シーケンスを逆拡散する（ブロック１６２２）。その後、ノードＢは、逆拡散データ・シーケンスに基づいてＵＥからのＡＣＫ情報を回復する（ブロック１６２４）。
【００９５】
図１７は、受信するＡＣＫのための装置１７００の設計を示す。装置１７００は、ＵＥからの複数のシンボル周期の複数のサブキャリアで複数のパイロット・シーケンスを受信する、なお、各シンボル周期で１つのパイロット・シーケンスが受信される、ためのモジュール１７１２と、逆拡散パイロット・シーケンスを得るために直交シーケンスで複数のパイロット・シーケンスを逆拡散するためのモジュール１７１４と、逆拡散パイロット・シーケンスに基づいてチャネル推定を導き出すためのモジュール１７１６と、データのための複数のシンボル周期の複数のサブキャリアで複数のデータ・シーケンスを受信する、なお、データのための各シンボル周期で１つのデータ・シーケンスを受信される、ためのモジュール１７１８と、検出されたデータ・シーケンスを得るためにチャネル推定で複数のデータ・シーケンスに対してコヒーレント検出を実行するためのモジュール１７２０と、逆拡散されたデータ・シーケンスを得るために第２の直交シーケンスで複数の検出されたデータ・シーケンスを逆拡散するためのモジュール１７２２と、逆拡散されたデータ・シーケンスに基づいてＵＥからのＡＣＫ情報を回復するためのモジュール１７２４と、を含む。
【００９６】
図１８は、ＣＱＩを受信するためのプロセス１８００の設計を示す。プロセス１８００は、ノードＢ又は他のあるエンティティによって実行される。ノードＢは、ＵＥからの少なくとも１つのシンボル周期によって分離された複数のシンボル周期の複数のサブキャリアで複数（例えば、２つ）のパイロット・シーケンスを受信する、なお、各シンボル周期で１つのパイロット・シーケンスを受信する（ブロック１８１２）。ノードＢは、複数のパイロット・シーケンスに基づいてチャネル推定を導き出す（ブロック１８１４）。ノードＢは、データのための複数のシンボル周期の複数のサブキャリアで複数のデータ・シーケンスも受信する、なお、データのための各シンボル周期の１つのデータ・シーケンスが受信される（ブロック１８１６）。ノードＢは、複数の検出されたデータ・シーケンスを得るためにチャネル推定で複数のデータ・シーケンスのためのコヒーレント検出を実行する（ブロック１８１８）。その後、ノードＢは、複数の検出されたデータ・シーケンスに基づいてＵＥからのＣＱＩ情報又はＣＱＩ及びＡＣＫ情報の両方を回復する（ブロック１８２０）。
【００９７】
図１９は、ＣＱＩを受信するための装置１９００の設計を示す。装置１９００は、ＵＥからの少なくとも１つのシンボル周期によって分離された複数のシンボル周期の複数のサブキャリアで複数のパイロット・シーケンスを受信する、なお、各シンボル周期で１つのパイロット・シーケンスが受信される、ためのモジュール１９１２と、複数のパイロット・シーケンスに基づいてチャネル推定を導き出すためのモジュール１９１４と、データのための複数のシンボル周期の複数のサブキャリアで複数のデータ・シーケンスを受信する、なお、データのための各シンボル周期の１つのデータ・シーケンスが受信される、ためのモジュール１９１６と、複数の検出したデータ・シーケンスを得るためにチャネル推定で複数のデータ・シーケンスのためのコヒーレント検出を実行するためのモジュール１９１８と、複数の検出されたデータ・シーケンスに基づいてＵＥからのＣＱＩ情報又はＣＱＩ及びＡＣＫ情報の両方を回復するためのモジュール１９２０と、を含む。
【００９８】
図２０は、ＵＥによってＡＣＫ及びＣＱＩの送信をサポートするためのプロセス２０００の設計を示す。プロセス２０００は、ノードＢ又は他のあるエンティティによって実行される。ノードＢは、ＤＦＴ行列に基づいて生成される直交シーケンスのセットから第１及び第２の直交シーケンスを選択する（ブロック２０１２）。ノードＢは、ベース・シーケンスの異なるサイクル・シフトに基づいて生成される参照信号シーケンスのセットから第１及び第２の参照信号シーケンスを選択する（ブロック２０１４）。ノードＢは、パイロットを送るための第１のＵＥに第１の参照信号シーケンス及び第１の直交シーケンスを割り当てる（ブロック２０１６）。ノードＢは、パイロットを送るための第２のＵＥに第２の参照信号シーケンス及び第２の直交シーケンスを割り当てる（ブロック２０１８）。ノードＢは、複数のシンボル周期の複数のサブキャリアで第１のＵＥからの第１のパイロット・シーケンスのセットを受信する（ブロック２０２０）。第１のパイロット・シーケンスのセットは、第１の参照信号シーケンス及び第１の直交シーケンスに基づいて第１のＵＥによって生成される。更に、ノードＢは、複数のシンボル周期の複数のサブキャリアで第２のＵＥからの第２のパイロット・シーケンスのセットも受信する（ブロック２０２２）。第２のパイロット・シーケンスのセットは、第２の参照信号シーケンス及び第２の直交シーケンスに基づいて第２のＵＥによって生成される。
【００９９】
更に、ノードＢは、パイロットを送るために第３のＵＥに第１の参照信号シーケンス及び第２の直交シーケンスも割り当てる。ノードＢは、パイロットを送るために第４のＵＥに第２の参照信号シーケンス及び第１の直交シーケンスも割り当てる。一般的に、各ＵＥは、同じリソース・ブロックでパイロットを送るために異なる組み合わせの参照信号シーケンス及び直交シーケンスを割り当てる。
【０１００】
ノードＢは、ウォルシュ行列に基づいて生成される直交シーケンスのセットから第３及び第４番の直交シーケンスを選択する。ノードＢは、データを送るために第１のＵＥに第３の直交シーケンスを割り当て、データを送るために第２のＵＥに第４の直交シーケンスを割り当てる。その後、ノードＢは、データのための複数のシンボル周期の複数のサブキャリアで第１のＵＥから第１のデータ・シーケンスのセットを受信する。
【０１０１】
第１のデータ・シーケンスのセットは、第１の参照信号シーケンス及び第３の直交シーケンスに基づいて第１のＵＥによって生成される。ノードＢは、データのための複数のシンボル周期の複数のサブキャリアで第２のＵＥから第２のデータ・シーケンスのセットを受信する。第２のデータ・シーケンスのセットは、第２の参照信号シーケンス及び第４の直交シーケンスに基づいて第２のＵＥによって生成される。
【０１０２】
図２１は、ＵＥによってＡＣＫ及びＣＱＩの創始ｎをサポートするための装置２１００の設計を示す。装置２１００は、ＤＦＴ行列に基づいて生成される直交シーケンスのセットから第１及び第２の直交シーケンスを選択するためのモジュール２１１２と、ベース・シーケンスの異なるサイクル・シフトに基づいて生成される参照信号シーケンスのセットから第１及び第２の参照信号シーケンスを選択するためのモジュール２１１４と、パイロットを送るための第１のＵＥに第１の参照信号シーケンス及び第１の直交シーケンスを割り当てるためのモジュール２１１６と、パイロットを送るための第２のＵＥに第２の参照信号シーケンス及び第２の直交シーケンスを割り当てるためのモジュール２１１８と、複数のシンボル周期の複数のサブキャリアで第１のＵＥからの第１のパイロット・シーケンスのセットを受信するためのモジュール２１２０と、複数のシンボル周期の複数のサブキャリアで第２のＵＥからの第２のパイロット・シーケンスのセットを受信するためのモジュール２１２２と、を含む。
【０１０３】
図１３、１５、１７、１９及び２１の中のモジュールは、プロセッサ、エレクトロニクス・デバイス、ハードウェア・デバイス、エレクトロニクス・コンポーネント、論理回路、メモリ又これらの任意の組み合わせを含んでもよい。
【０１０４】
当業者は、情報及び信号が様々な任意の異なる技術及び技法を使用して表現されることを理解できるだろう。例えば、上記の説明を通して参照されたデータ、命令、コマンド、情報、信号、ビット、シンボル及びチップは、電圧、電流、電磁波、磁界又は粒子、光場又は粒子、或いはこれらの組み合わせによって表される。
【０１０５】
更に、当業者は、本開示に関連して説明された様々な実例の論理ブロック、モジュール、回路及びアルゴリズム・ステップが電子ハードウェア、コンピュータ・ソフトウェア、或いは両方の組み合わせとして実施されうることを認識するだろう。このハードウェア及びソフトウェアの互換性を明確に説明するために、様々な実例となるコンポーネント、ブロック、モジュール、回路及びステップは、全般的に上記でこれらの機能性の点から説明されている。このような機能性がハードウェア又はソフトウェアとして実施されるかどうかは、全体のシステム上での特定の利用及び課された設計の制約に依存する。熟練した職人は、各特定の利用のために変化した方法で説明された機能性を実施するかもしれないが、このような実施は、本開示の範囲から逸脱する理由として解釈されるべきではない。
【０１０６】
ここに開示に関連して説明された様々な実例の論理ブロック、モジュール、及び回路は、汎用プロセッサ、デジタル信号プロセッサ（ＤＳＰ）、特定用途の集積回路（ＡＳＩＣ）、フィールド・プログラマブル・ゲート・アレイ（ＦＰＧＡ）又は他のプログラム可能な論理デバイス、ディスクリート・ゲート又はトランジスタ・ロジック、分離したハードウェア・コンポーネント、ここで説明された機能を実施するため設計されたこれらの任意の組み合わせで実施され又は実行される。汎用プロセッサは、マイクロプロセッサでもよいが代案において、プロセッサは、任意の従来のプロセッサ、コントローラ、マイクロコントローラ或いはステート・マシーンでもよい。更に、プロセッサは、コンピューティングデバイスの組み合わせ、例えば、ＤＳＰとマイクロプロセッサ、複数のマイクロプロセッサ、ＤＳＰコアで結合する１つ以上のコンビネーション或いは任意の他のこのような結合としても実施される。
【０１０７】
本開示に関連して説明された方法又はアルゴリズムのステップは、ハードウェア、プロセッサによって実行されるソフトウェア・モジュール或いはこの２つの組み合わせによって直接的に具体化されてもよい。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ或いは当業者で知られた記憶メディアの任意の他の形式に備わっていてもよい。例示的な記憶メディアは、プロセッサが記憶メディアから情報を読み出すことができ、記憶メディアに情報を書き込むことが出来るようなプロセッサと連結される。代案において、記憶メディアは、プロセッサと一体となっても良い。プロセッサと記憶メディアは、ＡＳＩＣに存在していてもよい。ＡＳＩＣは、ユーザ端末に存在していてもよい。代案において、プロセッサと記憶メディアは、ユーザ端末内の分離したコンポーネントとして存在していてもよい。
【０１０８】
１つ以上の例示的な設計において、この機能は、ハードウェア、ソフトウェア、ファームウェア或いは、これらの組み合わせの中で実施されてもよい。ソフトウェアで実施される場合、この機能は、コンピュータ判読可能なメディア上の１つ以上の命令又はコードとして格納され又は送信されてもよい。コンピュータ判読可読なメディアは、ある場所から別の場所にコンピュータ・プログラムの移動を容易にする、任意のメディアを含むコンピュータ記憶メディアと通信メディアとの両方を含む。記憶メディアは、汎用又は専用コンピュータによってアクセスできる。限定ではなく、例示として、このようなコンピュータ判読可能メディアは、ＲＡＭ、ＲＯＭ、ＥＥＰＲＯＭ、ＣＤ−ＲＯＭ又は他の光学ディスク記憶装置、磁気記憶装置又は他の磁気記憶装置デバイス或いは命令の形式又はデータ構造の要求されたプログラム・コード手段を運ぶ又は格納するために利用され、汎用又は専用コンピュータ或いは汎用又は専用プロセッサによってアクセスされる、任意の他のメディアを含むことができる。更に、任意の接続は、コンピュータ判読可能メディアに適切な名称がつけられる。例えば、ソフトウェアが同軸ケーブル、光ファイバー・ケーブル、ツイストテッド・ペア、デジタル加入者線（ＤＳＬ）或いは赤外線、無線及びマイクロ波のような無線技術を使用したウェブサイト、サーバ或いは他の同軸ケーブルから送信される場合、同軸ケーブル、光ファイバー・ケーブル、ツイステッド・ペア、ＤＳＬ或いは赤外線、無線及びマイクロ波のような無線技術は、メディアの定義に含まれる。ここで使用されるようなディスク（ｄｉｓｋ）及び（ｄｉｓｃ）は、コンパクト・ディスク（ＣＤ）、レーザー・ディスク、光学ディスク、デジタル多目的ディスク（ＤＶＤ）、フロッピー（登録商標）・ディスク及びｂｌｕ−ｒａｙ（登録商標）・ディスクを含む。ここで、ディスク（ｄｉｓｋ）は、通常磁気的にデータを再生し、一方、ディスク（ｄｉｓｃ）は、レーザーで工学的にデータを再生する。更に、上記の組み合わせは、コンピュータ判読可能メディアの範囲内に含まれる。
【０１０９】
本開示の以前の説明は、任意の当業者が本開示を創作又は使用することを可能にするために提供される。本開示に対する様々な修正は、当業者において容易に実施され、ここで定義された一般的な原理は、本開示の意図又は範囲から外れない他のバリエーションに適用される。従って、本開示は、ここで説明された例示及び設計に限定される意図は無く、ここで説明された原理及び新規な特徴に一致する最も広い範囲を認容する。
【図１】
2015144442.tif 000023
【図２】
2015144442.tif 000024
【図３Ａ】
2015144442.tif 000025
【図３Ｂ】
2015144442.tif 000026
【図４】
2015144442.tif 000027
【図５】
2015144442.tif 000028
【図６】
2015144442.tif 000029
【図７】
2015144442.tif 000030
【図８】
2015144442.tif 000031
【図９】
2015144442.tif 000032
【図１０】
2015144442.tif 000033
【図１１】
2015144442.tif 000034
【図１２】
2015144442.tif 000035
【図１３】
2015144442.tif 000036
【図１４】
2015144442.tif 000037
【図１５】
2015144442.tif 000038
【図１６】
2015144442.tif 000039
【図１７】
2015144442.tif 000040
【図１８】
2015144442.tif 000041
【図１９】
2015144442.tif 000042
【図２０】
2015144442.tif 000043
【図２１】
2015144442.tif 000044
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
参照信号シーケンスに基づいて複数のパイロット・シーケンスを生成することと；
少なくとも１つのシンボル周期で分離された複数のシンボル周期の複数のサブキャリアで前記複数のパイロット・シーケンスを送ることと、なお、異なるシンボル周期で各パイロット・シーケンスが送られ、各パイロット・シーケンスは前記複数のサブキャリアで送られる；チャネル質インジケータ（ＣＱＩ）情報又はＣＱＩ及び肯定応答（ＡＣＫ）情報の両方に基づいて複数の変調シンボルを生成することと；複数のデータ・シーケンスを得るために前記複数の変調シンボルで前記参照信号シーケンスを変調することと；データのための複数のシンボル周期の前記複数のサブキャリアで前記複数のデータ・シーケンスを送ることと、なお、データのための異なるシンボル周期で各データ・シーケンスが送られ、各データ・シーケンスは前記複数のサブキャリアで送られる；
を含むことを特徴とする無線通信のための方法。
【請求項２】
２つのパイロット・シーケンスは、前記参照信号シーケンスに基づいて生成され、各スロットが７つのシンボル周期を含む２つのスロット各々の２つのシンボル周期で送られること、
１０個のデータ・シーケンスは、前記参照信号シーケンス及び１０個の変調シンボルに基づいて生成され、前記２つのスロットの残りの１０シンボル周期で送られること、
を特徴とする請求項１に記載の方法。
【請求項３】
参照信号シーケンスに基づいて複数のパイロット・シーケンスを生成し、
少なくとも１つのシンボル周期で分離された複数のシンボル周期の複数のサブキャリアで前記複数のパイロット・シーケンスを送る、なお、異なるシンボル周期で各パイロット・シーケンスが送られ、各パイロット・シーケンスは前記複数の複数のサブキャリアで送られる、
チャネル品質インジケータ（ＣＱＩ）情報又はＣＱＩ及び肯定応答（ＡＣＫ）情報の両方に基づいて複数の変調シンボルを生成し、
複数のデータ・シーケンスを得るために前記複数の変調シンボルで前記参照信号シーケンスを変調し、
データからの複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成された少なくとも１つのプロセッサを含むことを特徴とする無線通信のための装置。
【請求項４】
前記少なくとも１つのプロセッサは、
前記参照信号シーケンスに基づいて２つのパイロット・シーケンスを生成し、
各スロットが７つのシンボル周期を含む２つのスロット各々の２つのシンボル周期で前記２つのパイロット・シーケンスを送り、
前記ＣＱＩ情報又は前記ＣＱＩ及びＡＣＫ情報の両方に基づいて１０個の変調シンボルを生成し、
前記参照信号シーケンス及び１０個の変調シンボルに基づいて１０個のデータ・シーケンスを生成し、
前記２つのスロットの残りの１０シンボル周期で前記１０個のデータ・シーケンスを送る、
ように構成されていることを特徴とする請求項３に記載の装置。
【請求項５】
少なくとも１つのシンボル周期によって分離された複数のシンボル周期の複数のサブキャリアで複数のパイロット・シーケンスを受信することと、なお、異なるシンボル周期で各パイロット・シーケンスが受信される；
前記複数のパイロット・シーケンスに基づいてチャネル推定を導き出すことと；
データのための複数のシンボル周期の前記複数のサブキャリアで複数のデータ・シーケンスを受信することと、なお、データのための各シンボル周期で１つのデータ・シーケンスが受信される；
検出された複数のデータ・シーケンスを得るために前記チャネル推定で前記複数のデータ・シーケンスに対してコヒーレント検出を実行することと；
前記検出された複数のデータ・シーケンスに基づいてチャネル品質インジケータ（ＣＱＩ）情報又はＣＱＩ及び肯定応答（ＡＣＫ）情報の両方を回復することと；
を含むことを特徴とする無線通信のための方法。
【請求項６】
２つのパイロット・シーケンスは、各スロットが７つのシンボル周期を含む、２つのスロット各々の２つのシンボル周期で受信されること、
チャネル推定は、前記スロットの受信された前記２つのパイロット・シーケンスに基づいて各スロットで導き出されること、
５つのデータ・シーケンスは、各スロットの残りの５つのシンボル周期で受信されること、
コヒーレント検出は、前記スロットに対して前記検出された５つのデータ・シーケンスを得るために前記スロットのための前記チャネル推定で各スロットの受信された前記５つのデータ・シーケンスに対して実行されること、
ＣＱＩ情報又はＣＱＩ及びＡＣＫ情報の両方は、前記２つのスロットで得られた検出された１０個のデータ・シーケンスに基づいて回復されること、
を特徴とする請求項５に記載の方法。
【請求項７】
少なくとも１つのシンボル周期によって分離された複数のシンボル周期の複数のサブキャリアで複数のパイロット・シーケンスを受信すること、なお、異なるシンボル周期で各パイロット・シーケンスが受信され、前記複数のパイロット・シーケンスに基づいてチャネル推定が導き出される、データのための複数のシンボル周期の前記複数のサブキャリアで複数のデータ・シーケンスを受信し、なお、データのための各シンボル周期で１つのデータ・シーケンスが受信される、
検出された複数のデータ・シーケンスを得るために前記チャネル推定で前記複数のデータ・シーケンスに対してコヒーレント検出を実行し、
前記検出された複数のデータ・シーケンスに基づいてチャネル品質インジケータ（ＣＱＩ）情報又はＣＱＩ及び肯定応答（ＡＣＫ）情報の両方を回復する、
ように構成された少なくとも１つのプロセッサを含むことを特徴とする無線通信のための装置。
【請求項８】
離散フーリエ変換（ＤＦＴ）行列に基づいて生成された直交シーケンスのセットから第１及び第２の直交シーケンスを選択することと；
ベース・シーケンスの異なる周期シフトに基づいて生成された参照信号シーケンスのセットから第１及び第２の参照信号シーケンスを選択することと；
パイロット・シーケンスを送るために第１のユーザ設備（ＵＥ）に前記第１の参照信号シーケンス及び前記第１の直交シーケンスを割り当てることと；
パイロット・シーケンスを送るために第２のユーザ設備（ＵＥ）に前記第２の参照信号シーケンス及び前記第２の直交シーケンスを割り当てることと；
を含むことを特徴とする無線通信のための方法。
【請求項９】
複数のシンボル周期の複数のサブキャリアで前記第１のＵＥからの第１のパイロット・シーケンスのセットを受信することと、なお、前記第１のパイロット・シーケンスのセットが前記第１の参照信号シーケンス及び前記第１の直交シーケンスに基づいて前記第１のＵＥによって生成される；
前記複数のシンボル周期の前記複数のサブキャリアで前記第２のＵＥからの第２のパイロット・シーケンスのセットを受信することと、なお、前記第２のパイロット・シーケンスのセットが前記第２の参照信号シーケンス及び前記第２の直交シーケンスに基づいて前記第２のＵＥによって生成される；
を更に含むことを特徴とする請求項８に記載の方法。
【請求項１０】
パイロット・シーケンスを送るために第３のＵＥに前記第１の参照信号シーケンス及び前記第２の直交シーケンスを割り当てることと；
パイロット・シーケンスを送るために第４のＵＥに前記第２の参照信号シーケンス及び前記第１の直交シーケンスを割り当てることと；
を更に含むことを特徴とする請求項８に記載の方法。
【請求項１１】
ウォルシュ行例に基づいて生成された第２の直交シーケンスのセットから第３及び第４の直交シーケンスを選択することと；
データを送るために前記第１のＵＥに前記第３の直交シーケンス割り当てることと；
データを送るために前記第２のＵＥに前記第４の直交シーケンス割り当てることと；
を更に含むことを特徴とする請求項８に記載の方法。
【請求項１２】
複数のシンボル周期の複数のサブキャリアで前記第１のＵＥからの第１のデータ・シーケンスのセットを受信することと、なお、前記第１のデータ・シーケンスのセットが前記第１の参照シーケンス及び前記第３の直交シーケンスに基づいて前記第１のＵＥによって生成される；
前記複数のシンボル周期の前記複数のサブキャリアで前記第２のＵＥからの第２のデータ・シーケンスのセットを受信することと、なお、前記第２のデータ・シーケンスが前記第２の参照信号シーケンス及び前記第４の直交シーケンスに基づいて前記第２のＵＥによって生成される；
を更に含むことを特徴とする請求項１１に記載の方法。
【請求項１３】
離散フーリエ変換（ＤＦＴ）行列に基づいて生成された直交シーケンスのセットから第１及び第２の直交シーケンスを選択し、
ベース・シーケンスの異なる周期シフトに基づいて生成された参照信号シーケンスのセットからの第１及び第２の参照信号シーケンスを選択し、
パイロット・シーケンスを送るために第１のユーザ設備（ＵＥ）に前記第１の参照信号シーケンス及び前記第１の直交シーケンスを割り当て、
パイロット・シーケンスを送るために第２のＵＥに前記第２の参照信号シーケンス及び前記第２の直交シーケンスを割り当てる、
ように構成された少なくとも１つのプロセッサを含むことを特徴とする無線通信のための装置。
【請求項１４】
前記少なくとも１つのプロセッサは、
ウォルシュ行列に基づいて生成された第２の直交シーケンスのセットから第３及び第４の直交シーケンスを選択し、
データを送るために前記第１のＵＥに前記第３の直交シーケンスを割り当て、
データを送るために前記第２のＵＥに前記第４の直交シーケンスを割り当てる、
ように構成されることを特徴とする請求項１３に記載の装置。
【請求項１５】
参照信号シーケンスに基づいて複数のパイロット・シーケンスを生成するための手段と；
少なくとも１つのシンボル周期で分離された複数のシンボル周期の複数のサブキャリアで前記複数のパイロット・シーケンスを送るための手段と、なお、異なるシンボル周期で各パイロット・シーケンスが送られ、各パイロット・シーケンスは前記複数のサブキャリアで送られる；
チャネル質インジケータ（ＣＱＩ）情報又はＣＱＩ及び肯定応答（ＡＣＫ）情報の両方に基づいて複数の変調シンボルを生成するための手段と；
複数のデータ・シーケンスを得るために前記複数の変調シンボルで前記参照信号シーケンスを変調するための手段と；
データのための複数のシンボル周期の前記複数のサブキャリアで前記複数のデータ・シーケンスを送るための手段と、なお、データのための各シンボル周期で１つのデータ・シーケンスが送られ、各データ・シーケンスは前記複数のサブキャリアで送られる；
を含むことを特徴とする無線通信のための装置。
【請求項１６】
参照信号シーケンスに基づいて複数のパイロット・シーケンスを生成するためのコードと；
少なくとも１つのシンボル周期で分離された複数のシンボル周期の複数のサブキャリアで前記複数のパイロット・シーケンスを送るためのコードと、なお、異なるシンボル周期で各パイロット・シーケンスが送られ、各パイロット・シーケンスは前記複数のサブキャリアで送られる；
チャネル質インジケータ（ＣＱＩ）情報又はＣＱＩ及び肯定応答（ＡＣＫ）情報の両方に基づいて複数の変調シンボルを生成するためのコードと；
複数のデータ・シーケンスを得るために前記複数の変調シンボルで前記参照信号シーケンスを変調するためのコードと；
データのための複数のシンボル周期の前記複数のサブキャリアで前記複数のデータ・シーケンスを送るためのコードと、なお、データのための各シンボル周期で１つのデータ・シーケンスが送られ、各データ・シーケンスは前記複数のサブキャリアで送られる；
を含むことを特徴とするコンピュータプログラム。
【請求項１７】
参照信号シーケンスに基づいて複数のパイロット・シーケンスを生成するためのコードと；
少なくとも１つのシンボル周期で分離された複数のシンボル周期の複数のサブキャリアで前記複数のパイロット・シーケンスを送るためのコードと、なお、異なるシンボル周期で各パイロット・シーケンスが送られ、各パイロット・シーケンスは前記複数のサブキャリアで送られる；
チャネル質インジケータ（ＣＱＩ）情報又はＣＱＩ及び肯定応答（ＡＣＫ）情報の両方に基づいて複数の変調シンボルを生成するためのコードと；
複数のデータ・シーケンスを得るために前記複数の変調シンボルで前記参照信号シーケンスを変調するためのコードと；
データのための複数のシンボル周期の前記複数のサブキャリアで前記複数のデータ・シーケンスを送るためのコードと、なお、データのための異なるシンボル周期で各データ・シーケンスが送られ、各データ・シーケンスは前記複数のサブキャリアで送られる；
を含むことを特徴とするコンピュータプログラム。
【請求項１８】
少なくとも１つのシンボル周期によって分離された複数のシンボル周期の複数のサブキャリアで複数のパイロット・シーケンスを受信するためのコードと、なお、異なるシンボル周期で各パイロット・シーケンスが受信される；
前記複数のパイロット・シーケンスに基づいてチャネル推定を導き出すためのコードと；
データのための複数のシンボル周期の前記複数のサブキャリアで複数のデータ・シーケンスを受信するためのコードと、なお、データのための各シンボル周期で１つのデータ・シーケンスが受信される；
検出された複数のデータ・シーケンスを得るために前記チャネル推定で前記複数のデータ・シーケンスに対してコヒーレント検出を実行するためのコードと；
前記検出された複数のデータ・シーケンスに基づいてチャネル品質インジケータ（ＣＱＩ）情報又はＣＱＩ及び肯定応答（ＡＣＫ）情報の両方を回復するためのコードと；
を含むことを特徴とするコンピュータプログラム。
【手続補正２】
【補正対象書類名】明細書
【補正対象項目名】００５０
【補正方法】変更
【補正の内容】
【００５０】
図３Ｂで示される設計おいて、１２個までのＵＥは、６つの参照信号シーケンス及び２つの直交シーケンスｑ０（ｍ）及びｑ１（ｍ）でＡＣＫのためのパイロットを送る。１つの設計において、１２のＡＣＫチャネルは、６つの参照信号シーケンス、パイロットのための２つの直交シーケンス及びデータのための４つの直交シーケンスで定義される。ＡＣＫチャネルの数は、同時にパイロットを送れるＵＥの数によって制限される。各ＡＣＫチャネルは、特定の参照信号シグナルｒ（ｎ）、パイロットのための特定の直交シーケンスｑ（ｍ）及びデータのための特定の直交シーケンスｗ（ｍ）と関連付けられる。１２個までのＵＥは、同じリソース・ブロック・ペアで１２までのＡＣＫチャネルでそれらのＡＣＫ情報を同時に送る。
【手続補正３】
【補正対象書類名】明細書
【補正対象項目名】０１０９
【補正方法】変更
【補正の内容】
【０１０９】
本開示の以前の説明は、任意の当業者が本開示を創作又は使用することを可能にするために提供される。本開示に対する様々な修正は、当業者において容易に実施され、ここで定義された一般的な原理は、本開示の意図又は範囲から外れない他のバリエーションに適用される。従って、本開示は、ここで説明された例示及び設計に限定される意図は無く、ここで説明された原理及び新規な特徴に一致する最も広い範囲を認容する。
以下に、本願出願の当初の特許請求の範囲に記載された発明を付記する。
［Ｃ１］
複数のパイロット・シーケンスを得るために直交シーケンスで参照信号シーケンスを拡散することと；
複数のシンボル周期の複数のサブキャリアで前記複数のパイロット・シーケンスを送ることと、なお、各シンボル周期で１つのパイロット・シーケンスが送られ、各パイロット・シーケンスは前記複数のサブキャリアで送られる；
を含むことを特徴とする無線通信のための方法。
［Ｃ２］
離散フーリエ変換（ＤＦＴ）行列に基づいて生成される直交シーケンスのセットから前記直交シーケンスを得ることを更に含むことを特徴とする［Ｃ１］に記載の方法。
［Ｃ３］
ウォルシュ行列に基づいて生成される直交シーケンスのセットから前記直交シーケンスを得ることを更に含むことを特徴とする［Ｃ１］に記載の方法。
［Ｃ４］
ベース・シーケンスの異なる周期シフトに基づいて生成される参照信号シーケンスのセットから前記参照信号シーケンスを得ることを更に含むことを特徴とする［Ｃ１］に記載の方法。
［Ｃ５］
前記参照信号シーケンスを拡散することは、３つのパイロット・シーケンスを得るために長さ３の前記直交シーケンスで前記参照シーケンスを拡散することを含むこと、
前記複数のパイロット・シーケンスを送ることは、７つのシンボル周期を含むスロットの３つのシンボル周期で前記３つのパイロット・シーケンスを送ることを含むこと、
を特徴とする［Ｃ１］に記載の方法。
［Ｃ６］
前記参照信号シーケンスを拡散することは、２つのパイロット・シーケンスを得るために長さ２の前記直交シーケンスで前記参照信号シーケンスを拡散することを含むこと、  前記複数のパイロット・シーケンスを送ることは、６つのシンボル周期を含むスロットの２つのシンボル周期で前記２つのパイロット・シーケンスを送ることを含むこと、
を特徴とする［Ｃ１］に記載の方法。
［Ｃ７］
変調シーケンスを得るために肯定応答（ＡＣＫ）情報で前記参照信号シーケンスを変調することと；
複数のデータ・シーケンスを得るために第２の直交シーケンスで前記変調シーケンスを拡散することと；
データのための複数のシンボル周期の前記複数のサブキャリアで複数のデータ・シーケンスを送ることと、なお、データのための各シンボル周期で１つのデータ・シーケンスが送られ、各データ・シーケンスは前記複数のサブキャリアで送られる；
を更に含むことを特徴とする［Ｃ１］に記載の方法。
［Ｃ８］
離散フーリエ変換（ＤＦＴ）行列に基づいて生成される第１の直交シーケンスのセットから前記直交シーケンスを得ることと；
ウォルシュ行列に基づいて生成される第２の直交シーケンスのセットから前記第２の直交シーケンスを得ることと；
を更に含むことを特徴とする［Ｃ７］に記載の方法。
［Ｃ９］
前記参照信号シーケンスは、７つのシンボル周期を含むスロットの真ん中３つのシンボル周期で送られる３つのパイロット・シーケンスを得るために長さ３の前記直交シーケンスで拡散されることを含むこと、
前記変調シーケンスは、前記スロットの残りの４シンボルで送られる４つのデータ・シーケンスを得るために長さ４の前記第２の直交シーケンスで拡散されることを含むこと、  を特徴とする［Ｃ７］に記載の方法。
［Ｃ１０］
前記複数のシンボル周期は、複数のシンボル周期を含むスロットの連続するシンボル周期であることを特徴とする［Ｃ１］に記載の方法。
［Ｃ１１］
前記複数のパイロット・シーケンスを送ることは、複数のパイロット・シーケンスに基づいて複数のシングル−キャリア周波数分割多重化（ＳＣ−ＦＤＭ）シンボルを生成すること、なお、各パイロット・シーケンスの間に１つのＳＣ−ＦＤＭシンボルが生成され、前記複数のシンボル周期で前記複数のＳＣ−ＦＤＭシンボルが送られ、各シンボル周期で１つのＳＣ−ＦＤＭシンボルが送られる、を含むことを特徴とする［Ｃ１］に記載の方法。
［Ｃ１２］
複数のパイロット・シーケンスを得るために複数のサブキャリアで参照信号シーケンスを拡散し、
複数のシンボル周期の複数のサブキャリアで前記複数のパイロット・シーケンスを送る、なお、各シンボル周期でパイロット・シーケンスが送られ、各パイロット・シーケンスは前記複数のサブキャリアで送られる、
ように構成された少なくとも１つのプロセッサを含むことを特徴とする無線通信のための装置。
［Ｃ１３］
前記少なくとも１つのプロセッサは、離散フーリエ変換（ＤＦＴ）行列に基づいて生成される直交シーケンスのセットから前記直交シーケンスを得るように構成されていることを特徴とする［Ｃ１２］に記載の装置。
［Ｃ１４］
前記少なくとも１つのプロセッサは、
３つのパイロット・シーケンスを得るために長さ３の前記直交シーケンスで前記参照信号シーケンスを拡散し、
７つのシンボル周期を含むスロットの３つのシンボル周期で前記３つのパイロット・シーケンスを送る、
ように構成されていることを特徴とする［Ｃ１２］に記載の装置。
［Ｃ１５］
前記少なくとも１つのプロセッサは、
変調シーケンスを得るために肯定応答（ＡＣＫ）で前記参照信号シーケンスを変調し、複数のデータ・シーケンスを得るために第２の直交シーケンスで前記変調シーケンスを拡張し、
データのための複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成されていることを特徴とする［Ｃ１２］に記載の装置。
［Ｃ１６］
複数のパイロット・シーケンスを得るために直交シーケンスで参照信号シーケンスを拡散するための手段と；
複数のシンボル周期の複数のサブキャリアで前記複数のパイロット・シーケンスを送る手段と、なお、各シンボル周期で１つのパイロット・シーケンスが送られ、各パイロットは前記複数のサブキャリアで送られる；
を含むことを特徴とする無線通信のための装置。
［Ｃ１７］
離散フーリエ変換（ＤＦＴ）行列に基づいて生成された１組の直交シーケンスから前記直交シーケンスを得るための手段を更に含むことを特徴とする［Ｃ１６］に記載の装置。
［Ｃ１８］
前記参照信号シーケンスを拡散するための手段は、３つのパイロット・シーケンスを得るために長さ３の前記直交シーケンスで前記参照信号シーケンスを拡散するための手段を含むこと、
前記複数のパイロット・シーケンスを拡散するための手段は、７つのシンボル周期を含むスロットの３つのシンボル周期の前記３つのパイロット・シーケンスを送るため手段を含むこと、
を特徴とする［Ｃ１６］に記載の装置。
［Ｃ１９］
変調シーケンスを得るために肯定応答（ＡＣＫ）情報で参照信号シーケンスを変調するための手段と；
複数のデータ・シーケンスを得るために第２の直交シーケンスで前記変調シーケンスを拡散するための手段と；
データのための複数のシンボル周期の前記複数のサブキャリアで前記複数のデータ・シーケンスを送る手段と、なお、データのための各シンボル周期で１つのデータ・シーケンスが送られ、各データ・シーケンスは前記複数のサブキャリアで送られる；
を更に含むことを特徴とする［Ｃ１６］に記載の装置。
［Ｃ２０］
コンピュータ判読可能なメディアを具備し：
前記コンピュータ判読可能なメディアは、
複数のパイロット・シーケンスを得るために直交シーケンスで参照信号シーケンスを拡散するための少なくとも１つのコンピュータに実行させるためのコードと；
複数のシンボル周期の複数のサブキャリアで複数のパイロット・シーケンスを送るための少なくとも１つのコンピュータに実行させるコードと、なお、各シンボル周期で１つのパイロット・シーケンスが送られ、各パイロットは前記複数のサブキャリアで送られる；  を含むことを特徴とするコンピュータ・プログラム製品。
［Ｃ２１］
参照信号シーケンスに基づいて複数のパイロット・シーケンスを生成することと；
少なくとも１つのシンボル周期で分離された複数のシンボル周期の複数のサブキャリアで前記複数のパイロット・シーケンスを送ることと、なお、各シンボル周期で１つのパイロット・シーケンスが送られ、各パイロット・シーケンスは前記複数のサブキャリアで送られる；
を含むことを特徴とする無線通信のための方法。
［Ｃ２２］
前記複数のパイロット・シーケンスを生成することは、前記参照信号シーケンスと同等の各パイロット・シーケンスをセットすることを特徴とする［Ｃ２１］に記載の方法。
［Ｃ２３］
ベース・シーケンスの異なる周期シフトに基づいて生成された参照信号シーケンスのセットから前記参照信号シーケンスを得ること。
［Ｃ２４］
チャネル質インジケータ（ＣＱＩ）情報又はＣＱＩ及び肯定応答（ＡＣＫ）情報に基づいて複数の変調シンボルの生成することと；
複数のデータ・シーケンスを得るために前記複数の変調シンボルで前記参照信号シーケンスを変調することと；
データのための複数のシンボル周期の前記複数のサブキャリアで複数のデータ・シーケンスを送ることと、なお、データのための各シンボル周期で１つのデータ・シーケンスが送られ、各データ・シーケンスは前記複数のサブキャリアで送られる；
を含むことを特徴とする［Ｃ２１］に記載の方法。
［Ｃ２５］
２つのパイロット・シーケンスは、前記参照信号シーケンスに基づいて生成され、各スロットが７つのシンボル周期を含む２つのスロット各々の２つのシンボル周期で送られること、
１０個のデータ・シーケンスは、前記参照信号シーケンス及び１０個の変調シンボルに基づいて生成され、前記２つのスロットの残りの１０シンボル周期で送られること、
を特徴とする［Ｃ２４］に記載の方法。
［Ｃ２６］
参照信号シーケンスに基づいて複数のパイロット・シーケンスを生成し、
少なくとも１つのシンボル周期で分離された複数のシンボル周期の複数のサブキャリアで前記複数のパイロット・シーケンスを送る、なお、各シンボル周期で１つのパイロット・シーケンスが送られ、各パイロット・シーケンスは前記複数の複数のサブキャリアで送られる、
ように構成された少なくとも１つのプロセッサを含むことを特徴とする無線通信のための装置。
［Ｃ２７］
前記少なくとも１つのプロセッサは、
チャネル品質インジケータ（ＣＱＩ）情報又はＣＱＩ及び肯定応答（ＡＣＫ）情報の両方に基づいて複数の変調シンボルを生成し、
複数のデータ・シーケンスを得るために前記複数の変調シンボルで前記参照信号シーケンスを変調し、
データのための複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成されていることを特徴とする［Ｃ２６］に記載の装置。
［Ｃ２８］
前記少なくとも１つのプロセッサは、
前記参照信号シーケンスに基づいて２つのパイロット・シーケンスを生成し、
各スロットが７つのシンボル周期を含む２つのスロット各々の２つのシンボル周期で前記２つのパイロット・シーケンスを送り、
前記ＣＱＩ情報又は前記ＣＱＩ及びＡＣＫ情報の両方に基づいて１０個の変調シンボルを生成し、
前記参照信号シーケンス及び１０個の変調シンボルに基づいて１０個のデータ・シーケンスを生成し、
前記２つのスロットの残りの１０シンボル周期で前記１０個のデータ・シーケンスを送る、
ように構成されていることを特徴とする［Ｃ２７］に記載の装置。
［Ｃ２９］
複数のシンボル周期の複数のサブキャリアで複数のパイロット・シーケンスを受信することと、なお、各シンボル周期で１つのパイロット・シーケンスが受信される；
逆拡散パイロット・シーケンスを得るために直交シーケンスで前記複数のパイロット・シーケンスを逆拡散することと；
前記逆拡散パイロット・シーケンスに基づいてチャネル推定を導き出すことと；
を含むことを特徴とする無線通信のための方法。
［Ｃ３０］
離散フーリエ変換（ＤＦＴ）行列に基づいて生成される直交シーケンスのセットから前記直交シーケンスを得ることを更に含むことを特徴とする［Ｃ２９］に記載の方法。
［Ｃ３１］
前記複数のパイロット・シーケンスを受信することは、７つのシンボル周期を含むスロットの３つのシンボル周期で３つのパイロット・シーケンスを受信することを含むこと、  前記複数のパイロット・シーケンスを逆拡散することは、前記逆拡散パイロット・シーケンスを得るために長さ３の前記直交シーケンスで前記３つのパイロット・シーケンスを逆拡散すること、
を含むことを特徴とする［Ｃ２９］に記載の方法。
［Ｃ３２］
データのための複数のシンボル周期の複数のサブキャリアで複数のデータ・シーケンスを受信することと；
検出された複数のデータ・シーケンスを得るために前記チャネル推定で前記複数のデータ・シーケンスに対してコヒーレント検出を実行することと；
を更に含むことを特徴とする［Ｃ２９］に記載の方法。
［Ｃ３３］
逆拡散データ・シーケンスを得るために第２の直交シーケンスで前記検出されたマルチ複数のデータ・シーケンスを逆拡散することと；
前記逆拡散データ・シーケンスに基づいて肯定応答（ＡＣＫ）情報を回復することと；  を更に含むことを特徴とする［Ｃ３２］に記載の方法。
［Ｃ３４］
複数のシンボル周期の複数のサブキャリアで複数のパイロット・シーケンスを受信し、なお、各シンボル周期で１つのパイロット・シーケンスが受信され、
逆拡散パイロット・シーケンスを得るために直交シーケンスで前記複数のパイロット・シーケンスを逆拡散し、
前記逆拡散パイロット・シーケンスに基づいてチャネル推定を導き出す、
ように構成されている少なくとも１つのプロセッサを含むこと特徴とする無線通信のための装置。
［Ｃ３５］
前記少なくとも１つのプロセッサは、離散フーリエ変換（ＤＦＴ）行列に基づいて生成された直交シーケンスのセットから前記直交シーケンスを得るように構成されていることを特徴とする［Ｃ３４］に記載の装置。
［Ｃ３６］
前記少なくとも１つのプロセッサは、
データのための複数のシンボル周期の前記複数のサブキャリアで複数のデータ・シーケンスを受信すること、なお、データのための各シンボル周期で１つのデータ・シーケンスが受信され、
検出された複数のデータ・シーケンスを得るために前記チャネル推定で前記複数のデータ・シーケンスのためにコヒーレント検出を実行し、
逆拡散データ・シーケンスを得るために第２の直交シーケンスで前記検出された複数のデータ・シーケンスを逆拡散し、
前記逆拡散データ・シーケンスに基づいて肯定応答（ＡＣＫ）情報を回復する、
ように構成されていることを特徴とする［Ｃ３４］に記載の装置。
［Ｃ３７］
少なくとも１つのシンボル周期によって分離された複数のシンボル周期の複数のサブキャリアで複数のパイロット・シーケンスを受信することと、なお、各シンボル周期で１つのパイロット・シーケンスが受信される；
複数のパイロット・シーケンスに基づいてチャネル推定を導き出すことと；
を含むことを特徴とする無線通信のための方法。
［Ｃ３８］
前記複数のパイロット・シーケンスを受信することは、７つの周期を含むスロットの前記２つのシンボル周期で２つのパイロット・シーケンス受信すること、なお、２つのシンボル周期は少なくとも１つのシンボル周期によって分離される、を特徴とする［Ｃ３７］に記載の方法。
［Ｃ３９］
データのための複数のシンボル周期の前記複数のサブキャリアで複数のデータ・シーケンスを受信することと、なお、データのための各シンボル周期で１つのデータ・シーケンスが受信される；
検出された複数のデータ・シーケンスを得るためにチャネル推定で複数のデータ・シーケンスに対してコヒーレント検出を実行することと；
検出された複数のデータ・シーケンスに基づいてチャネル品質インジケータ（ＣＱＩ）情報又はＣＱＩ及び肯定応答（ＡＣＫ）情報の両方を回復することと；
を更に含むことを特徴とする［Ｃ３７］に記載の方法。
［Ｃ４０］
２つのパイロット・シーケンスは、各スロットが７つのシンボル周期を含む、２つのスロット各々の２つのシンボル周期で受信されること、
チャネル推定は、前記スロットの受信された前記２つのパイロット・シーケンスに基づいて各スロットで導き出されること、
５つのデータ・シーケンスは、各スロットの残りの５つのシンボル周期で受信されること、
コヒーレント検出は、前記スロットに対して前記検出された５つのデータ・シーケンスを得るために前記チャネル推定で各スロットの受信された前記５つのデータ・シーケンスに対して実行されること、
ＣＱＩ情報又はＣＱＩ及びＡＣＫ情報は、前記２つのスロットで得られた検出された１０個のデータ・シーケンスに基づいて回復されること、
を特徴とする［Ｃ３９］に記載の方法。
［Ｃ４１］
少なくとも１つのシンボル周期によって分離された複数のシンボル周期の複数のサブキャリアで複数のパイロット・シーケンスを受信すること、なお、各シンボル周期で１つのパイロット・シーケンスが受信され、前記複数のパイロット・シーケンスに基づいてチャネル推定が導き出される、ように構成された少なくとも１つのプロセッサを含むことを特徴とする無線通信のための装置。
［Ｃ４２］
データのための複数のシンボル周期の前記複数のサブキャリアで複数のデータ・シーケンスを受信し、なお、データのための各シンボル周期で１つのデータ・シーケンスが受信される、
検出された複数のデータ・シーケンスを得るために前記チャネル推定で前記複数のデータ・シーケンスに対してコヒーレント検出を実行し、
前記検出された複数のデータ・シーケンスに基づいてチャネル品質インジケータ（ＣＱＩ）情報又はＣＱＩ及び肯定応答（ＡＣＫ）情報の両方を回復する、
ように構成された少なくとも１つのプロセッサを含むことを特徴とする［Ｃ４１］に記載の方法。
［Ｃ４３］
離散フーリエ変換（ＤＦＴ）行列に基づいて生成された直交シーケンスのセットから第１及び第２の直交シーケンスを選択することと；
ベース・シーケンスの異なる周期シフトに基づいて生成された参照信号シーケンスのセットから第１及び第２の参照信号シーケンスを選択することと；
パイロットを送るために第１のユーザ設備（ＵＥ）に前記第１の参照信号シーケンス及び前記第１の直交シーケンスを割り当てることと；
パイロットを送るために第２のユーザ設備（ＵＥ）に前記第２の参照信号シーケンス及び前記第２の直交シーケンスを割り当てることと；
を含むことを特徴とする無線通信のための方法。
［Ｃ４４］
複数のシンボル周期の複数のサブキャリアで前記第１のＵＥからの第１のパイロット・シーケンスのセットを受信することと、なお、前記第１のパイロット・シーケンスのセットが前記第１の参照信号シーケンス及び前記第１の直交シーケンスに基づいて前記第１のＵＥによって生成される；
前記複数のシンボル周期の前記複数のサブキャリアで前記第２のＵＥからの第２のパイロット・シーケンスのセットを受信することと、なお、前記第２のパイロット・シーケンスのセットが前記第２の参照信号シーケンス及び前記第２の直交シーケンスに基づいて前記第２のＵＥによって生成される；
を更に含むことを特徴とする［Ｃ４３］に記載の方法。
［Ｃ４５］
パイロットを送るために第３のＵＥに前記第１の参照信号シーケンス及び前記第２の直交シーケンスを割り当てることと；
パイロットを送るために第４のＵＥに前記第２の参照信号シーケンス及び前記第１の直交シーケンスを割り当てることと；
を更に含むことを特徴とする［Ｃ４３］に記載の方法。
［Ｃ４６］
ウォルシュ行例に基づいて生成された第２の直交シーケンスのセットから第３及び第４の直交シーケンスを選択することと；
データを送るために前記第１のＵＥに前記第３の直交シーケンス割り当てることと；
データを送るために前記第１のＵＥに前記第３の直交シーケンス割り当てることと；
を更に含むことを特徴とする［Ｃ４３］に記載の方法。
［Ｃ４７］
複数のシンボル周期の複数のサブキャリアで前記第１のＵＥからの第１のデータ・シーケンスのセットを受信することと、なお、前記第１のデータ・シーケンスのセットが前記第１の参照シーケンス及び前記第３の直交シーケンスに基づいて前記第１のＵＥによって生成される；
前記複数のシンボル周期の前記複数のサブキャリアで前記第２のＵＥからの第２のデータ・シーケンスのセットを受信することと、なお、前記第２のデータ・シーケンスが前記第２の参照信号シーケンス及び前記第４の直交シーケンスに基づいて前記第２のＵＥによって生成される；
を更に含むことを特徴とする［Ｃ４９］に記載の方法。
［Ｃ４８］
離散フーリエ変換（ＤＦＴ）行列に基づいて生成された直交シーケンスのセットから第１及び第２の直交シーケンスを選択し、
ベース・シーケンスの異なる周期シフトに基づいて生成された参照信号シーケンスのセットからの第１及び第２の参照信号シーケンスを選択し、
パイロットを送るためにユーザ設備（ＵＥ）に前記第１の参照信号シーケンス及び前記第１の直交シーケンスを割り当て、
第２のＵＥに前記第２の参照信号シーケンス及び前記第２の直交シーケンスを割り当てる、
ように構成された少なくとも１つのプロセッサを含むことを特徴とする無線通信のための装置。
［Ｃ４９］
前記少なくとも１つのプロセッサは、
ウォルシュ行列に基づいて生成された第１及び第２の直交シーケンスを選択し、
データを送るために前記第１のＵＥに前記第３の直交シーケンスを割り当て、
データを送るために前記第１のＵＥに前記第３の直交シーケンスを割り当てる、
ように構成されることを特徴とする［Ｃ４８］に記載の装置。
【外国語明細書】
2015144442000001.pdf